(57)【要約】【課題】円滑な出金動作を維持しつつ、装置の小型化を図ることが可能な貨幣処理装置および貨幣処理方法を提供する。【解決手段】貨幣入出金機は、投入された硬貨を受け入れる硬貨受け入れ部１０１と、入金された硬貨を収納および放出する硬貨収納部１０２と、出金用の硬貨を収納および放出する一時保留部１０３と、出金用の硬貨を取り出し可能に収容する硬貨出金ボックス１６ａ、１６ｂと、硬貨を搬送するための搬送部１０７と、搬送される硬貨の金種を識別する識別部１０８と、制御部と、を備える。制御部は、少なくとも１つの硬貨収納部１０２を複数金種の硬貨の収納先に割り当て、所定の条件で一時保留部１０３に硬貨が収納されるように、硬貨収納部１０２に収納された硬貨を一時保留部１０３に収納させ、出金動作時に、出金金額に応じて、一時保留部１０３に収納された硬貨を、硬貨出金ボックス１６ａ、１６ｂに搬送させる。【選択図】図２
2020091688.tif 000002
【特許請求の範囲】
【請求項１】
入金用の貨幣を受け入れる入金部と、
入金された所定金種の貨幣を収納および放出する第１収納部と、
出金用の貨幣を収納および放出する第２収納部と、
出金用の貨幣を取り出し可能に収容する出金部と、
前記入金部、前記第１収納部、前記第２収納部および前記出金部の間で貨幣を搬送する搬送部と、
前記搬送部により搬送される貨幣の金種を識別する識別部と、
制御部と、を備え、
前記第１収納部は、取引対象の金種の数より少ない数だけ配置され、
前記制御部は、
少なくとも１つの前記第１収納部を複数金種の貨幣の収納先に割り当て、
所定の条件で前記第２収納部に貨幣が収納されるように、前記識別部を介して、前記第１収納部に収納された貨幣を前記第２収納部に収納させ、
出金動作時に、出金金額に応じて、前記第２収納部に収納された貨幣を、前記識別部を介して、前記出金部に搬送させる、
ことを特徴とする貨幣処理装置。
【請求項２】
前記第２収納部は、前記入金部を介して入金された貨幣を一時的に収納する収納部として共用される、
請求項１に記載の貨幣処理装置。
【請求項３】
前記制御部は、前記入金された貨幣を返却する返却動作時に、前記第２収納部に収納されている貨幣のうち、入金された金額に応じた貨幣を、前記識別部を介して、前記出金部に搬送させる、
請求項２に記載の貨幣処理装置。
【請求項４】
前記各第１収納部は、何れも、複数金種の貨幣を収納し、且つ、前記各第１収納部が収納する貨幣の金種が互いに異なっている、
請求項１ないし３の何れか一項に記載の貨幣処理装置。
【請求項５】
前記所定の条件は、取引対象の全ての金種の貨幣が前記第２収納部に収納されることである、
請求項４に記載の貨幣処理装置。
【請求項６】
複数金種の貨幣を収納する前記第１収納部の他、単一金種の貨幣を収納する前記第１収納部を含む、
請求項１ないし３の何れか一項に記載の貨幣処理装置。
【請求項７】
前記所定の条件は、複数金種の貨幣を収納する前記第１収納部に設定された全ての金種の貨幣が前記第２収納部に収納されることである、
請求項６に記載の貨幣処理装置。
【請求項８】
前記各第１収納部には、それぞれ、硬貨が収納され、
複数金種の貨幣を収納する前記第１収納部は、５００円、５０円および５円の各硬貨を収納し、
前記所定の条件は、５００円、５０円および５円の各硬貨が１枚ずつ前記第２収納部に収納されることである、
請求項６または７に記載の貨幣処理装置。
【請求項９】
前記第１収納部には、硬貨が収納され、
前記所定の条件は、前記第２収納部に収納される硬貨の合計金額が９９９円となることである、
請求項１ないし６の何れか一項に記載の貨幣処理装置。
【請求項１０】
前記第２収納部から前記出金部へと向かう搬送経路から貨幣を退出させる分岐部を備え、
前記制御部は、出金動作時に、前記第２収納部に収納された貨幣のうち、出金対象でない貨幣を、前記分岐部により、前記搬送経路から退出させる、
請求項１ないし９の何れか一項に記載の貨幣処理装置。
【請求項１１】
前記制御部は、前記出金対象でない貨幣を、前記第２収納部に収納する、
請求項１０に記載の貨幣処理装置。
【請求項１２】
前記制御部は、前記出金対象でない貨幣を、当該貨幣の金種に対応する前記第１収納部に戻す、
請求項１０に記載の貨幣処理装置。
【請求項１３】
前記制御部は、複数金種の貨幣を収納する前記第１収納部における金種間の収納枚数の割合を所定の割合に維持するための所定の制御を行う、
請求項１ないし１２の何れか一項に記載の貨幣処理装置。
【請求項１４】
貨幣を回収する回収部を備え、
前記制御部は、前記所定の制御として、前記所定の割合を超過する金種の貨幣を、前記第１収納部から前記回収部に搬送させる制御を行う、
請求項１３に記載の貨幣処理装置。
【請求項１５】
貨幣を回収する回収部を備え、
前記制御部は、前記所定の制御として、入金動作時に、前記所定の割合を超過する金種の貨幣を、前記第１収納部を介することなく、前記回収部に搬送させる制御を行う、
請求項１３または１４に記載の貨幣処理装置。
【請求項１６】
前記制御部は、前記所定の割合を超過する金種の貨幣の収納枚数が所定の下限値を下回る場合、前記所定の制御を行わない、
請求項１４または１５に記載の貨幣処理装置。
【請求項１７】
前記制御部は、前記所定の制御として、前記所定の割合を下回る金種の貨幣を前記第１収納部に補充することを促すための報知制御を行う、
請求項１３ないし１５に記載の貨幣処理装置。
【請求項１８】
前記第１収納部には、硬貨が収納され、
前記制御部は、複数金種の貨幣を収納する前記第１収納部における硬貨の収納枚数が所定の上限値を超える場合、前記報知制御を行わない、
請求項１７に記載の貨幣処理装置。
【請求項１９】
入金された貨幣を収納および放出するための第１収納部が入出金対象の金種の数より少なく設けられるとともに、出金用の貨幣を収納および放出する第２収納部が設けられた貨幣処理装置の貨幣処理方法であって、
所定の前記第１収納部を複数金種の貨幣の収納先に割り当て、
所定の条件で前記第２収納部に貨幣が収納されるように、前記第１収納部に収納された貨幣を前記第２収納部に収納させ、
出金動作時に、出金金額に応じて、前記第２収納部に収納された貨幣を出金させる、
ことを特徴とする貨幣処理方法。
【発明の詳細な説明】
【技術分野】
【０００１】
本発明は、貨幣の入出金等の処理を行う貨幣処理装置および貨幣処理方法に関する。
【背景技術】
【０００２】
銀行等の金融機関で用いられる貨幣処理装置の一つとして、窓口カウンタにて業務を行う２人のテラーの間に設置され、左右何れのテラーからも使用可能な貨幣処理装置が知られている。このような貨幣処理装置が、たとえば、特許文献１に記載されている。特許文献１に記載の貨幣処理装置では、硬貨を収納および放出するための収納放出部が、金種ごとに、個別に設けられている。出金時には、各収納放出部から硬貨が繰り出されて、出金ボックスに搬出される。
【先行技術文献】
【特許文献】
【０００３】
【特許文献１】特許第４９６０６９０号公報
【発明の概要】
【発明が解決しようとする課題】
【０００４】
上述の貨幣処理装置では、金種の数だけ収納放出部が設けられるため、装置内に比較的大きなスペースを確保する必要がある。このため、装置の小型化に一定の制約が生じてしまう。
【０００５】
かかる課題に鑑み、本発明は、円滑な出金動作を維持しつつ、装置の小型化を図ることが可能な貨幣処理装置および貨幣処理方法を提供することを目的とする。
【課題を解決するための手段】
【０００６】
本発明の第１の態様は、貨幣処理装置に関する。本態様に係る貨幣処理装置は、入金用の貨幣を受け入れる入金部と、入金された所定金種の貨幣を収納および放出する第１収納部と、出金用の貨幣を収納および放出する第２収納部と、出金用の貨幣を取り出し可能に収容する出金部と、前記入金部、前記第１収納部、前記第２収納部および前記出金部の間で貨幣を搬送する搬送部と、前記搬送部により搬送される貨幣の金種を識別する識別部と、制御部と、を備える。ここで、前記第１収納部は、取引対象の金種の数より少ない数だけ配置される。前記制御部は、少なくとも１つの前記第１収納部を複数金種の貨幣の収納先に割り当てる。そして、制御部は、所定の条件で前記第２収納部に貨幣が収納されるように、前記識別部を介して、前記第１収納部に収納された貨幣を前記第２収納部に収納させ、出金動作時に、出金金額に応じて、前記第２収納部に収納された貨幣を、前記識別部を介して、前記出金部に搬送させる。
【０００７】
本態様に係る貨幣処理装置によれば、第１収納部が、取引対象の金種の数より少ない数で配置されるとともに、所定の第１収納部が複数金種の貨幣の収納先に割り当てられる。これにより、装置内に配置される第１収納部の数を減らすことができ、装置の小型化を図ることができる。また、出金動作に先立って出金用の貨幣が第２収納部に収納されるため、出金動作時に、第２収納部から必要な貨幣を円滑に出金することができる。よって、本態様に係る貨幣処理装置によれば、円滑な出金動作を維持しつつ、装置の小型化を図ることができる。
【０００８】
本態様に係る貨幣処理装置において、前記第２収納部は、前記入金部を介して入金された貨幣を一時的に収納する収納部として共用され得る。
【０００９】
この構成によれば、別途、入金された貨幣を一時的に収納する収納部を設ける必要がないため、さらなる装置の小型化および簡素化を図ることができる。
【００１０】
この場合、前記制御部は、前記入金された貨幣を返却する返却動作時に、前記第２収納部に収納されている貨幣のうち、入金された金額に応じた貨幣を、前記識別部を介して、前記出金部に搬送させる構成とされ得る。
【００１１】
入金された貨幣を一時的に収納する収納部として第２収納部が共用される場合、第２収納部に予め収納されていた出金用の貨幣に入金された貨幣が混在することになる。これに対し、上記構成によれば、返却動作時に、第２収納部に混在する貨幣のうち、入金金額に応じた貨幣が第２収納部から出金部に搬送されるため、入金金額に応じた貨幣を円滑に返却することができる。
【００１２】
本態様に係る貨幣処理装置において、前記各第１収納部は、何れも、複数金種の貨幣を収納し、且つ、前記各第１収納部が収納する貨幣の金種が互いに異なっているよう構成され得る。この構成によれば、装置に配置される第１収納部の数を顕著に減らすことができる。
【００１３】
この場合、前記所定の条件は、取引対象の全ての金種の貨幣が前記第２収納部に収納されることに設定され得る。
【００１４】
この構成によれば、第２収納部に全ての金種の貨幣が揃っているため、第２収納部に収納された貨幣を搬送するのみで出金に対応でき易くなる。よって、出金動作を、円滑かつ迅速に行うことができる。
【００１５】
あるいは、本態様に係る貨幣処理装置は、複数金種の貨幣を収納する前記第１収納部の他、単一金種の貨幣を収納する前記第１収納部を含む構成とされ得る。
【００１６】
この構成によれば、出金動作時に、単一金種の貨幣を収納する第１収納部から貨幣を放出する必要がある場合に、当該第１収納部から、貨幣の選別なく円滑に、貨幣を搬送することができる。
【００１７】
この場合、前記所定の条件は、複数金種の貨幣を収納する前記第１の収納部に設定された全ての金種の貨幣が前記第２収納部に収納されることに設定され得る。
【００１８】
この構成によれば、出金動作時において、複数金種の貨幣を収納する第１収納部の金種については、第２収納部に収納された貨幣により出金に対応できるため、出金に応じた金種の貨幣を当該第１収納部から逐一選別して出金部に搬出することを抑制できる。また、その他の金種については、単一金種を収納する他の第１収納部から対応する金種を出金部に搬送すればよいだけであるため、円滑に、出金動作を進めることができる。よって、この構成によれば、円滑に、出金動作を行うことができる。
【００１９】
この構成において、前記各第１収納部に、それぞれ、硬貨が収納される場合、複数金種の貨幣を収納する前記第１収納部は、５００円、５０円および５円の各硬貨を収納し、前記所定の条件は、５００円、５０円および５円の各硬貨が１枚ずつ前記第２収納部に収納されることに設定され得る。
【００２０】
１回の釣銭出金動作において、原則、５００円、５０円および５円の各硬貨は、１枚ずつしか出金されない。よって、上記のように、５００円、５０円および５円の各硬貨が１枚ずつ第２収納部に収納されていれば、これら金種の出金は、第２収納部に収納されている硬貨のみで対応でき、これら金種が混在する第１収納部から対応する金種の硬貨を逐一選別して出金部に搬送することを防止できる。よって、出金動作を円滑に行うことができる。
【００２１】
なお、貨幣処理装置が取り扱う通貨が日本円以外の場合、前記所定の条件は、出金動作時に最高１枚ずつしか出金されない金種の硬貨がそれぞれ１枚ずつ第２収納部に収納されることに設定されればよい。また、この場合、これらの金種が１つの第１収納部に割り当てられればよい。
【００２２】
本態様に係る貨幣処理装置において、前記第１収納部に硬貨が収納される場合、前記所定の条件は、前記第２収納部に収納される硬貨の合計金額が９９９円となることに設定され得る。
【００２３】
１回の釣銭出金動作において出金される硬貨の総額は、９９９円以下である。よって、上記のように、総額が９９９円になるように硬貨が第２収納部に収納されていれば、第２収納部に収納されている貨幣のみで出金に対応でき、別途、第１収納部から硬貨を搬出させる必要がない。よって、出金動作を円滑に行うことができる。
【００２４】
なお、貨幣処理装置が取り扱う通貨が日本円以外の場合、前記所定の条件は、第２収納部に収納される硬貨の合計金額が、１回の釣銭出金動作において出金される硬貨の最大額となることに設定されればよい。
【００２５】
本態様に係る貨幣処理装置は、前記第２収納部から前記出金部へと向かう搬送経路から貨幣を退出させる分岐部を備え得る。この場合、前記制御部は、出金動作時に、前記第２収納部に収納された貨幣のうち、出金対象でない貨幣を、前記分岐部により、前記搬送経路から退出させるよう構成され得る。
【００２６】
この構成によれば、出金動作時に、出金対象の貨幣のみを出金部に円滑に導くことができる。
【００２７】
この場合、前記制御部は、前記出金対象でない貨幣を、前記第２収納部に収納するよう構成され得る。
【００２８】
この構成によれば、出金動作後に、所定の条件に従って、第２収納部に補充される貨幣の数を減らすことができる。よって、第２収納部に対する貨幣の補充を効率的に行うことができる。
【００２９】
あるいは、前記制御部は、前記出金対象でない貨幣を、当該貨幣の金種に対応する前記第１収納部に戻すよう構成され得る。
【００３０】
この構成によれば、出金動作時に、第２収納部から搬出された出金対象でない貨幣が再度、第２収納部に戻されて、再び第２収納部から搬出されることが回避される。これにより、出金動作を効率的に行うことができる。
【００３１】
本態様に係る貨幣処理装置において、前記制御部は、複数金種の貨幣を収納する前記第１収納部における金種間の収納枚数の割合を所定の割合に維持するための所定の制御を行うよう構成され得る。
【００３２】
複数金種の貨幣を収納する第１収納部において、一の金種の貨幣の比率が高く、他の金種の貨幣の比率が低い場合、当該第１収納部からは、他の金種の貨幣が搬出される確率が低くなる。このため、この第１収納部から他の金種の貨幣を第２収納部に搬送する場合、他の金種の貨幣が第２収納部に搬送されるまでに時間が掛かる可能性がある。これに対し、上記構成によれば、第１収納部における金種間の収納枚数の割合が所定の割合に維持されるため、何れの金種についても、同程度の時間で、第１収納部から貨幣を搬送できる。
【００３３】
なお、この構成において、第１収納部に２つの金種の貨幣が収納される場合、「所定の割合」は、１：３〜３：１程度に設定されることが好ましい。
【００３４】
ここで、貨幣処理装置が貨幣を回収する回収部を備える場合、前記制御部は、前記所定の制御として、前記所定の割合を超過する金種の貨幣を、前記第１収納部から前記回収部に搬送させる制御を行うよう構成され得る。
【００３５】
このように、枚数の割合が高い金種の貨幣を第１収納部から積極的に退出させることにより、第１収納部に収納される各金種の貨幣の割合を所定の割合に円滑に調整できる。
【００３６】
また、前記制御部は、前記所定の制御として、入金動作時に、前記所定の割合を超過する金種の貨幣を、前記第１収納部を介することなく、前記回収部に搬送させる制御を行うよう構成されてもよい。
【００３７】
これにより、所定の割合を超過する金種の貨幣の割合がさらに増加することを防ぐことができる。
【００３８】
ただし、前記制御部は、前記所定の割合を超過する金種の貨幣の収納枚数が所定の下限値を下回る場合、前記所定の制御を行わないように構成されるとよい。
【００３９】
これにより、第１収納部に所定金種の貨幣が不足することを防ぐことができる。
【００４０】
また、前記制御部は、前記所定の制御として、前記所定の割合を下回る金種の貨幣を前記第１収納部に補充することを促すための報知制御を行うよう構成され得る。
【００４１】
この構成によれば、枚数の割合が低い金種の貨幣が、報知に応じて、第１収納部に補充されるため、第１収納部に収納される各金種の貨幣の割合を所定の割合に円滑に調整できる。
【００４２】
ただし、前記第１収納部に硬貨が収納される場合、前記制御部は、複数金種の貨幣を収納する前記第１収納部における硬貨の収納枚数が所定の上限値を超える場合は、前記報知制御を行わないように構成されることが好ましい。
【００４３】
第１収納部に収納されている硬貨が増えすぎると、第１収納部から硬貨が円滑に繰り出されにくくなり、硬貨の繰出に時間が掛かり易くなる。よって、上記のように、第１収納部における硬貨の収納枚数が上限値を超える場合に、硬貨の補充を促さないようにすることにより、第１収納部に収納される硬貨が増えすぎることを防ぐことができ、第１収納部から硬貨を円滑に繰り出すことができる。
【００４４】
本発明の第２の態様は、入金された貨幣を収納および放出するための第１収納部が入出金対象の金種の数より少なく設けられるとともに、出金用の貨幣を収納および放出する第２収納部が設けられた貨幣処理装置の貨幣処理方法に関する。本態様に係る貨幣処理方法は、所定の前記第１収納部を複数金種の貨幣の収納先に割り当て、所定の条件で前記第２収納部に貨幣が収納されるように、前記第１収納部に収納された貨幣を前記第２収納部に収納させ、出金動作時に、出金金額に応じて、前記第２収納部に収納された貨幣を出金させる。
【００４５】
本態様に係る貨幣処理方法によれば、上記第１の態様と同様の効果が奏され得る。
【発明の効果】
【００４６】
以上のとおり、本発明によれば、円滑な出金動作を維持しつつ、装置の小型化を図ることが可能な貨幣処理装置および貨幣処理方法を提供することができる。
【００４７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００４８】
【図１】図１は、実施形態１に係る貨幣入出金機の構成を示す斜視図である。
【図２】図２は、実施形態１に係る硬貨入出金ユニットの構成を示す図である。
【図３】図３は、実施形態１に係る貨幣入出金機の構成を示すブロック図である。
【図４】図４（ａ）は、実施形態１に係る、硬貨の出金処理を示すフローチャートである。図４（ｂ）は、図４（ａ）のフローチャートにおける選別処理のサブルーチンを示すフローチャートである。図４（ｃ）は、図４（ａ）のフローチャートにおける選別処理の他のサブルーチンを示すフローチャートである。
【図５】図５は、実施形態１に係る、出金準備処理時における硬貨の流れを模式的に示す図である。
【図６】図６は、実施形態１に係る、図４（ｂ）のサブルーチンによって選別処理が行われる場合の硬貨の流れを模式的に示す図である。
【図７】図７は、実施形態１に係る、図４（ｃ）のサブルーチンによって選別処理が行われる場合の硬貨の流れを模式的に示す図である。
【図８】図８（ａ）は、実施形態１に係る、硬貨の入金処理を示すフローチャートである。図８（ｂ）は、図８（ａ）のフローチャートにおける返却処理のサブルーチンを示すフローチャートである。図８（ｃ）は、図８（ａ）のフローチャートにおける返却処理の他のサブルーチンを示すフローチャートである。
【図９】図９（ａ）は、実施形態１に係る、硬貨の入金処理において、投入された硬貨が一時保留部に収納される流れを模式的に示す図である。図９（ｂ）は、実施形態１に係る、図８（ｂ）のサブルーチンによって返却処理が行われる場合の硬貨の流れを模式的に示す図である。図９（ｃ）は、実施形態１に係る、図８（ｃ）のサブルーチンによって返却処理が行われる場合の硬貨の流れを模式的に示す図である。
【図１０】図１０は、実施形態１の変更例１に係る、硬貨の入金処理を示すフローチャートである。
【図１１】図１１（ａ）〜（ｄ）は、それぞれ、実施形態１の変更例１に係る、入金処理時における硬貨の流れを模式的に示す図である。
【図１２】図１２（ａ）は、実施形態１の変更例２に係る、硬貨収納部に収納された各金種の硬貨の割合を所定の割合に維持するための処理を示すフローチャートである。図１２（ｂ）は、実施形態１の変更例２に係る、図１２（ａ）の処理が実行された場合の硬貨の流れを模式的に示す図である。
【図１３】図１３（ａ）は、実施形態１の変更例３に係る、硬貨収納部に収納された各金種の硬貨の割合を所定の割合に維持するための処理を示すフローチャートである。図１３（ｂ）は、実施形態１の変更例３に係る、図１３（ａ）の処理が実行された場合の硬貨の流れを模式的に示す図である。
【図１４】図１４は、実施形態１の変更例４に係る、硬貨の入金処理を示すフローチャートである。
【図１５】図１５（ａ）、（ｂ）は、それぞれ、実施形態１の変更例４に係る、図１４の処理が実行された場合の硬貨の流れを模式的に示す図である。
【図１６】図１６は、実施形態１の変更例５に係る、硬貨の出金処理を示すフローチャートである。
【図１７】図１７（ａ）、（ｂ）は、それぞれ、実施形態１の変更例５に係る、図１６の処理が実行された場合の硬貨の流れを模式的に示す図である。
【図１８】図１８は、実施形態２に係る、硬貨入出金ユニットの構成を示す図である。
【図１９】図１９は、実施形態３に係る、硬貨入出金ユニットの構成を示す図である。
【図２０】図２０は、実施形態３に係る、出金処理における硬貨の流れを模式的に示す図である。
【図２１】図２１（ａ）は、実施形態４に係る、硬貨入出金ユニットの構成を示す図である。図２１（ｂ）は、実施形態４に係る、釣銭機の構成を示すブロック図である。
【図２２】図２２（ａ）は、実施形態４に係る、予備収納部に対して硬貨を収納する際の硬貨の流れを模式的に示す図である。図２２（ｂ）は、実施形態４に係る、硬貨の出金処理時における硬貨の流れを模式的に示す図である。
【発明を実施するための形態】
【００４９】
＜実施形態１＞
以下、本発明の実施形態について図面を参照して説明する。本実施形態では、銀行等の窓口に設置され、左右のテラーにより使用される貨幣入出金機が、貨幣処理装置の一例として示されている。なお、各図には、適宜、貨幣入出金機の上下、左右および前後を示す矢印が付されている。
【００５０】
なお、実施形態１においては、貨幣入出金機１が、特許請求の範囲に記載の「貨幣処理装置」に対応する。また、硬貨入金口１３および硬貨受け入れ部１０１が、特許請求の範囲に記載の「入金部」に対応し、硬貨出金ボックス１６ａ、１６ｂが、特許請求の範囲に記載の「出金部」に対応する。また、分岐機構１０９、１１０が、特許請求の範囲に記載の「分岐部」に対応し、硬貨回収部１１３が、特許請求の範囲に記載の「回収部」に対応する。また、硬貨収納部１０２が、特許請求の範囲に記載の「第１収納部」に対応し、一時保留部１０３が、特許請求の範囲に記載の「第２収納部」に対応する。
【００５１】
ただし、上記記載は、あくまで、特許請求の範囲の構成と実施形態１の構成とを対応付けることを目的とするものであって、上記対応付けによって特許請求の範囲に記載の発明が実施形態１の構成に何ら限定されるものではない。
【００５２】
図１は、貨幣入出金機１の構成を示す斜視図である。図２は、貨幣入出金機１に搭載された硬貨入出金ユニット１２を上方から見た構成を模式的に示す図である。
【００５３】
貨幣入出金機１は、銀行等の金融機関における窓口カウンタの内側で窓口業務を行う２人のテラー（操作者）の間に設置される。貨幣入出金機１は、各テラーによって操作される上位端末２に通信ケーブル３を介して接続されている。
【００５４】
貨幣入出金機１は、外郭を構成する外装体１０内に、紙幣入出金ユニット１１と硬貨入出金ユニット１２とを備える。紙幣入出金ユニット１１は、外装体１０内の下側に設けられ、紙幣の入金処理、出金処理等を行う。硬貨入出金ユニット１２は、外装体１０内の上側に設けられ、硬貨の入金処理、出金処理等を行う。
【００５５】
図１に示すように、外装体１０は、左右方向の横幅よりも前後方向の奥行が長く、上下方向の高さが左右方向の横幅よりも高いほぼ直方体形状を有する。外装体１０は、本体１０ａと、本体１０ａの前上部に設けられた外装カバー１０ｂと、本体１０ａの前面に設けられた扉１０ｃとを備える。たとえば、外装カバー１０ｂは樹脂材料で形成され、本体１０ａおよび扉１０ｃは金属材料で形成される。
【００５６】
外装カバー１０ｂには、上面に硬貨入金口１３が形成され、前面に紙幣出金口１４が形成され、上面から前面にかけて湾曲する湾曲面に紙幣入金口１５が形成される。これら硬貨入金口１３、紙幣出金口１４および紙幣入金口１５は、それぞれ、シャッター１３ａ、１４ａ、１５ａにより開閉される。
【００５７】
また、外装カバー１０ｂの下部の左右方向の両端には、それぞれ、硬貨出金ボックス１６ａ、１６ｂが設置されている。これら硬貨出金ボックス１６ａ、１６ｂは、前方へ引き出して取り外すことができる。硬貨出金ボックス１６ａ、１６ｂは、ロック機構によって装着位置にロックされる。２つの硬貨出金ボックス１６ａ、１６ｂは、互いに同じ形状（左右対称）で、且つ、同等の容量を有している。これら２つの硬貨出金ボックス１６ａ、１６ｂは、硬貨を取り出すための出金部を構成する。
【００５８】
外装カバー１０ｂの後部には、操作表示部１７が設けられている。操作表示部１７は、前方斜め上方を向くように外装カバー１０ｂに固定されている。操作表示部１７は、ディスプレイとタッチセンサとからなるタッチパネルで構成される。操作表示部１７は、ディスプレイに各種の画像（画面）を表示するとともに、ディスプレイに対するユーザのタッチ操作をタッチセンサにより検出する。
【００５９】
外装カバー１０ｂの上面における硬貨入金口１３の両側の領域には、４つの占有キー１８が設けられる。４つの占有キー１８は、それぞれ、左側および右側の操作者が貨幣入出金機１の紙幣に係る取引処理の占有を指示するために操作される占有キー１８ａ、１８ｂと、それぞれ、左側および右側のテラーが貨幣入出金機１の硬貨に係る取引処理の占有を指示するために操作される占有キー１８ｃ、１８ｄとからなっている。占有キー１８ａ〜１８ｄは、それぞれ、所定の発光色で点灯可能に構成されている。
【００６０】
さらに、外装カバー１０ｂの前面には、硬貨出金ボックス１６ａ、１６ｂの直上位置にそれぞれランプ１９ａ、１９ｂが設けられている。ランプ１９ａ、１９ｂは、たとえば、ＬＥＤにより構成される。また、ロック機構が解除されて硬貨出金ボックス１６ａ、１６ｂが取り外し可能となった場合に、ランプ１９ａ、１９ｂが点灯する。
【００６１】
図２に示すように、硬貨入出金ユニット１２は、硬貨受け入れ部１０１と、３つの硬貨収納部１０２と、一時保留部１０３と、を備える。
【００６２】
硬貨受け入れ部１０１は、硬貨入金口１３の下方に配置され、硬貨入金口１３に投入された硬貨を受け入れる。硬貨入金口１３に投入された硬貨は、硬貨受け入れ部１０１に落下する。３つの硬貨収納部１０２は、それぞれ、直方体形状の箱体からなっている。３つの硬貨収納部１０２は、それぞれ、所定金種の硬貨を収納する。本実施形態１では、１つの硬貨収納部１０２に２つの金種が割り当てられている。たとえば、３つの硬貨収納部１０２は、硬貨入出金ユニット１２の前側から順番に、１円硬貨および５円硬貨、１０円硬貨および５０円硬貨、１００円硬貨および５００円硬貨を収納する。
【００６３】
一時保留部１０３は、入出金処理や、硬貨収納部１０２に収納された硬貨を回収する処理等において、硬貨を一時的に収納する。一時保留部１０３は、直方体形状の箱体からなっている。本実施形態１では、後述のように、一時保留部１０３が、出金用の硬貨を収納および放出するための収納部として共用される。
【００６４】
さらに、硬貨入出金ユニット１２は、硬貨受け入れ部１０１に対応づけられた繰出機構１０４と、３つの硬貨収納部１０２にそれぞれ対応づけられた繰出機構１０５と、一時保留部１０３に対応づけられた繰出機構１０６と、搬送部１０７と、識別部１０８と、を備えている。
【００６５】
繰出機構１０４は、硬貨受け入れ部１０１に受け入れられた硬貨を、１枚ずつ搬送部１０７に繰り出す。３つの繰出機構１０５は、それぞれ、対応する硬貨収納部１０２に収納されている硬貨を、１枚ずつ搬送部１０７に繰り出す。繰出機構１０６は、一時保留部１０３に収納されている硬貨を、１枚ずつ搬送部１０７に繰り出す。
【００６６】
搬送部１０７は、時計回りの方向に循環移動を行う循環ベルト１０７ａを備えている。この循環ベルト１０７ａには、複数の突起部分（図示せず）が等間隔で設けられている。循環ベルト１０７ａに設けられた各突起部分に硬貨が引っかかることにより、循環ベルト１０７ａの循環移動に伴って、硬貨が１枚ずつ搬送される。こうして、上記各繰出機構により繰り出された硬貨が、循環ベルト１０７ａの循環経路に沿って搬送される。
【００６７】
識別部１０８は、硬貨の搬送経路上に設けられ、搬送部１０７によって１枚ずつ搬送される硬貨の金種および真偽等を識別する。識別部１０８における硬貨の識別情報は、後述する制御部２０１に送信される。
【００６８】
さらに、硬貨入出金ユニット１２は、一時保留部１０３に対応づけられた分岐機構１０９と、３つの硬貨収納部１０２にそれぞれ対応づけられた分岐機構１１０と、硬貨受け入れ部１０１に対応づけられた分岐機構１１１と、硬貨出金ボックス１６ａに対応付けられた分岐機構１１２と、硬貨回収部１１３と、を備えている。
【００６９】
分岐機構１０９は、搬送部１０７によって搬送される硬貨を選択的に搬送部１０７から分岐させて一時保留部１０３に送る。３つの分岐機構１１０は、それぞれ、搬送部１０７によって搬送される硬貨を選択的に搬送部１０７から分岐させて、対応する硬貨収納部１０２に送る。分岐機構１１１は、搬送部１０７により搬送される硬貨を選択的に搬送部１０７から分岐させて、硬貨を硬貨入金口１３（硬貨受け入れ部１０１）に移送する移送部（図示せず）に送る。分岐機構１１２は、搬送部１０７により搬送される硬貨を選択的に搬送部１０７から分岐させて、硬貨を硬貨出金ボックス１６ａと硬貨回収部１１３に振り分ける振分機構（図示せず）に送る。分岐機構１１２で分岐されなかった硬貨は、全て、搬送部１０７によって硬貨出金ボックス１６ｂに送られる。
【００７０】
硬貨回収部１１３は、図１に示した紙幣入出金ユニット１１を支持する支持ユニット（図示せず）に支持されている。扉１０ｃを開放して支持ユニットを引き出すことにより、紙幣入出金ユニット１１とともに硬貨回収部１１３を外部に引き出すことができる。
【００７１】
図３は、貨幣入出金機１の構成を示すブロック図である。図３には、硬貨入出金ユニット１２に関する主要な構成が示されており、紙幣入出金ユニット１１に関する各部の構成は省略されている。
【００７２】
図３に示すように、貨幣入出金機１は、上述の紙幣入出金ユニット１１、操作表示部１７、占有キー１８、ランプ１９ａ、１９ｂ、シャッター１３ａ、１４ａ、１５ａ、繰出機構１０４、１０５、１０６、搬送部１０７、識別部１０８、分岐機構１０９、１１０、１１１、１１２および硬貨回収部１１３の他、制御部２０１、記憶部２０２および通信部２０３を備えている。
【００７３】
制御部２０１は、ＣＰＵ（Central Processing Unit）等の演算回路を備え、記憶部２０２に記憶された動作プログラムに従って各部を制御する。記憶部２０２は、ＲＯＭ（Read Only Memory）、ＲＡＭ（Random Access Memory）やハードディスク等の記憶媒体を備え、制御部２０１の動作プログラムを記憶し、また、制御部２０１の制御処理の際にワーク領域として利用される。通信部２０３は、上位端末２との間で通信を行う。
【００７４】
貨幣入出金機１の左右両側にいる操作者（テラー）は、それぞれ、貨幣入出金機１を使用して入金処理、出金処理、計数処理などの取引処理を行うことができる。計数処理には、貨幣（紙幣、硬貨）の枚数を単純に計数する単純計数処理と、貨幣の枚数を計数するとともに同じ金種の貨幣を所定枚数単位にまとめる整理計数処理とが含まれる。各操作者は、貨幣入出金機１に対して、貨幣入出金機１の処理を占有する操作（占有操作）を行った後に、操作表示部１７上で所定の操作を行って自身の取引処理を実行する。
【００７５】
なお、取引処理が入金処理または出金処理である場合には、占有操作がなされる前あるいはなされた後に、上位端末２において金額等の入力を含む入金操作または出金操作が行われる。入金操作または出金操作に基づいて、上位端末２から貨幣入出金機１へ入金コマンドまたは出金コマンドが送信される。
【００７６】
また、取引処理が計数処理である場合には、占有操作がなされた後に、操作表示部１７上で単純計数処理または整理計数処理の何れを行うかの選択が行われる。この選択は、上位端末２でも行うことができ、この場合は、単純計数コマンドまたは整理計数コマンドが、上位端末２から貨幣入出金機１へ送信される。
【００７７】
なお、２つの上位端末２は、それぞれ、貨幣入出金機１を挟む左右の操作者の配備位置と対応付けられている。すなわち、貨幣入出金機１には、貨幣入出金機１の右側の配備位置に対して一方の上位端末２を対応付け、貨幣入出金機１の左側の配備位置に対して他方の上位端末２を対応付ける設定がなされている。各テラーは、自身の配備位置に対応付けられた上位端末２から上記コマンドを送信するための入力を行う。上記コマンドの送信において、各上位端末２は、自身の識別情報を付してコマンドを送信する。コマンドを受信した貨幣入出金機１は、識別情報をもとに、受信したコマンドが何れの配備位置の処理に供されるものであるかを識別する。
【００７８】
次に、貨幣入出金機１に対し出金操作および入金操作が行われた場合の硬貨入出金ユニット１２における硬貨の処理動作について説明する。
【００７９】
＜出金処理＞
図４（ａ）は、硬貨の出金処理を示すフローチャートである。
【００８０】
出金処理に先立ち、制御部２０１は、所定の条件で一時保留部１０３に各金種の硬貨を収納させる処理を行う（Ｓ１０１）。ここでは、一時保留部１０３に収納される硬貨の合計金額が９９９円になることが、ステップＳ１０１の所定の条件に設定されている。以下、ステップＳ１０１において行われる処理のことを、「出金準備処理」と称する。
【００８１】
図５は、出金準備処理時における硬貨の流れを模式的に示す図である。図５において、点線は、一時保留部１０３に収納される硬貨の流れを示し、破線は、硬貨収納部１０２に戻される硬貨の流れを示している。
【００８２】
出金準備処理において、制御部２０１は、３つの繰出機構１０５により各硬貨収納部１０２から硬貨を繰り出して、搬送部１０７に供給する。繰り出された硬貨は、搬送部１０７により搬送される途中で、識別部１０８により金種が識別される。制御部２０１は、９９９円の収納に必要な硬貨を、分岐機構１０９により一時保留部１０３へと送り、その他の硬貨を、３つの分岐機構１１０の何れかにより、対応する硬貨収納部１０２へと戻す。具体的には、たとえば５００円硬貨と５０円硬貨と５円硬貨が各１枚と、１００円硬貨と１０円硬貨と１円硬貨が各１枚である。これにより、一時保留部１０３に９９９円の硬貨が収納されると、制御部２０１は、出金準備処理を終了する。
【００８３】
図４（ａ）に戻り、制御部２０１は、操作表示部１７に対して出金操作がなされたか否かを判定する（Ｓ１０２）。出金操作がなされると（Ｓ１０２：ＹＥＳ）、制御部２０１は、一時保留部１０３に収納されている９９９円分の硬貨を順次、繰出機構１０６により繰り出して、搬送部１０７に供給する（Ｓ１０３）。繰り出された各硬貨は、搬送部１０７による搬送過程において、識別部１０８により、金種が識別される。制御部２０１は、各硬貨の金種に基づき、各硬貨に対して、選別処理を実行する（Ｓ１０４）。
【００８４】
図４（ｂ）は、選別処理のサブルーチンを示すフローチャートである。
【００８５】
制御部２０１は、一時保留部１０３から繰り出された各硬貨が、出金されるべき硬貨であるか否かを判定する（Ｓ２０１）。
【００８６】
たとえば、操作入力された出金金額が３４５６円である場合、４５６円分の硬貨が出金される。この場合、１００円硬貨４枚と、５０円硬貨１枚と、５円硬貨１枚と、１円硬貨１枚が、ステップＳ２０１において、出金対象の硬貨とされる。したがって、一時保留部１０３に収納されている９９９円分の硬貨のうち、１枚の５００円硬貨および４枚の１０円硬貨は、何れも出金対象外であり、４枚の１００円硬貨、１枚の５０円硬貨および１枚の５円硬貨は、何れも、出金対象である。また、一時保留部１０３に収納されている４枚の１円硬貨のうち、１枚は、出金対象であり、残り３枚は出金対象外である。
【００８７】
一時保留部１０３から繰り出された硬貨が、出金されるべき硬貨である場合（Ｓ２０１：ＹＥＳ）、制御部２０１は、当該硬貨を、硬貨出金ボックス１６ａ、１６ｂのうち、処理を占有するテラー側の硬貨出金ボックスへ搬送させる（Ｓ２０２）。他方、一時保留部１０３から繰り出された硬貨が、出金されるべき硬貨でない場合（Ｓ２０１：ＮＯ）、制御部２０１は、当該硬貨を、当該硬貨の金種に対応する硬貨収納部１０２へ搬送させる（Ｓ２０３）。
【００８８】
図６は、選別処理における硬貨の流れを模式的に示す図である。図６において、点線は、出金される硬貨の流れを示し、破線は、硬貨収納部１０２に戻される硬貨の流れを示している。ここでは、右側の硬貨出金ボックス１６ａが出金先となっている。
【００８９】
一時保留部１０３から繰り出された硬貨のうち、出金対象の硬貨は、硬貨出金ボックス１６ａへ搬送される。出金対象でない硬貨は、分岐機構１１０により、対応する金種の硬貨収納部１０２に戻される。
【００９０】
たとえば、上記のように、４５６円の硬貨が出金される場合、５００円および１０円の硬貨が一時保留部１０３から繰り出されると、これらの硬貨は、硬貨収納部１０２へと戻され、１００円、５０円および５円の硬貨が一時保留部１０３から繰り出されると、これらの硬貨は、硬貨収納部１０２へと硬貨出金ボックス１６ａへと搬送される。また、一時保留部１０３から切り出された１枚目の１円硬貨は、硬貨出金ボックス１６ａへと搬送され、２枚目以降の１円硬貨は、１円を収納する硬貨収納部１０２に戻される。
【００９１】
図４（ａ）に戻り、制御部２０１は、出金額に応じた出金が行われるまで（Ｓ１０５：ＹＥＳ）、ステップＳ１０３、Ｓ１０４の処理を実行する。こうして、出金額に応じた出金が行われると（Ｓ１０５：ＹＥＳ）、制御部２０１は、繰出機構１０６による繰出動作を終了させて（Ｓ１０６）、処理を終了する。
【００９２】
このように、一時保留部１０３における硬貨の繰り出しは、出金金額に対応する硬貨が硬貨出金ボックス１６ａ、１６ｂに搬送されることに応じて終了する。たとえば、上記のように、４５６円の硬貨が出金される場合、１００円硬貨４枚と、５０円硬貨１枚と、５円硬貨１枚と、１円硬貨１枚が、識別部１０８により識別されたことに応じて、一時保留部１０３における硬貨の繰り出しが終了する。この場合、一時保留部１０３から繰り出されなかった硬貨は、一時保留部１０３に残留する。その後、図４（ａ）のステップＳ１０１における出金準備処理により、９９９円に対して不足する金額の硬貨が、対応する硬貨収納部１０２から繰り出されて、一時保留部１０３へと搬送される。
【００９３】
なお、出金処理時には、上記のように一時保留部１０３の硬貨を残留させることなく、出金対象外の硬貨も全て一時保留部１０３から繰り出して、対応する金種の硬貨収納部１０２に戻すようにしてもよい。この場合、出金処理後に行われる出金準備処理（図４（ａ）のステップＳ１０１）により、９９９円分の硬貨が、３つの硬貨収納部１０２から繰り出されて、一時保留部１０３へと搬送される。
【００９４】
なお、図４（ｂ）の選別処理では、出金対象外の硬貨が、対応する金種の硬貨収納部１０２に戻されたが（Ｓ２０３）、出金対象外の硬貨が、一時保留部１０３に戻されてもよい。
【００９５】
図４（ｃ）は、この場合の選別処理を示すフローチャートである。
【００９６】
図４（ｃ）の選別処理では、一時保留部１０３から繰り出された硬貨が、出金されるべき硬貨でない場合（Ｓ２０１：ＮＯ）、制御部２０１は、当該硬貨を、一時保留部１０３へ搬送させる（Ｓ２１０）。
【００９７】
図７は、この選別処理における硬貨の流れを模式的に示す図である。
【００９８】
出金対象の硬貨は、図６の場合と同様、硬貨出金ボックス１６ａへと搬送される。これに対し、出金対象外の硬貨は、図６の場合と異なり、分岐機構１０９により一時保留部１０３に送られる。
【００９９】
この構成によれば、９９９円分の硬貨のうち、出金対象でない硬貨は、出金処理後に、必ず、一時保留部１０３に残留する。このため、出金処理後の出金準備処理により一時保留部１０３に補充される硬貨を少なくすることができる。よって、出金準備処理を、より効率的に行うことができる。しかし、その反面、この構成では、出金対象外の硬貨が、出金処理の途中で一時保留部１０３に戻されて、再び、一時保留部１０３から繰り出されることが起こり得る。このため、出金処理の効率がやや低下することが起こり得る。したがって、出金処理をより効率的に進めるためには、図４（ｂ）および図６に示すように、出金対象外の硬貨を一時保留部１０３に戻さずに、対応する金種の硬貨収納部１０２に搬送することが好ましいと言える。
【０１００】
＜入金処理＞
図８（ａ）は、硬貨の入金処理を示すフローチャートである。
【０１０１】
硬貨の入金処理において、操作者は、操作表示部１７等に対して入金のための入力を行い、さらに、硬貨入金口１３から入金対象の硬貨を投入する。投入された硬貨は、硬貨受け入れ部１０１に受け入れられる。こうして入金操作が行われると（Ｓ３０１：ＹＥＳ）、制御部２０１は、硬貨入金口１３に投入された硬貨を、繰出機構１０４によって１枚ずつ、硬貨受け入れ部１０１から搬送部１０７に繰り出して、一時保留部１０３へと搬送させる（Ｓ３０２）。搬送の途中で、各硬貨の金種が識別部１０８によって識別される。制御部２０１は、各硬貨に対する金種の識別結果に基づいて、一時保留部１０３に搬送された入金用の硬貨の総額を把握する。
【０１０２】
本実施形態では、上記のように、出金用の９９９円分の硬貨が予め一時保留部１０３に収納されている。このため、入金処理時には、入金された硬貨と、出金用の９９９円分の硬貨が、一時保留部１０３において混在することになる。
【０１０３】
その後、操作表示部１７に対して入金を確定させる入力が行われると（Ｓ３０３：ＹＥＳ）、制御部２０１は、繰出機構１０６により、一時保留部１０３から全ての硬貨を順次繰り出して、各硬貨を、それぞれ、分岐機構１１０により、対応する金種の硬貨収納部１０２へと送る（Ｓ３０４）。これにより、硬貨の入金処理が終了する。
【０１０４】
他方、操作表示部１７に対して入金を解消させる入力、すなわち、返却のための操作が行われると（Ｓ３０３：ＮＯ、Ｓ３０５：ＹＥＳ）、制御部２０１は、返却処理を実行する（Ｓ３０６）。
【０１０５】
図８（ｂ）は、返却処理のサブルーチンを示すフローチャートである。
【０１０６】
制御部２０１は、一時保留部１０３から繰り出された各硬貨が、返却されるべき硬貨であるか否かを判定する（Ｓ４０１）。
【０１０７】
たとえば、入金時に投入された硬貨の総額が８３８円である場合、一時保留部１０３には、返却処理の際に、出金用の９９９円分の硬貨と併せて、１８３７円の硬貨が収納されている。制御部２０１は、一時保留部１０３に収納されている１８３７円分の硬貨のうち、入金時に投入された８３８円分の硬貨を返却対象に設定する。具体的には、制御部２０１は、５００円硬貨１枚と、１００円硬貨３枚と、１０円硬貨３枚と、５円硬貨１枚と、１円硬貨３枚を返却対象に設定する。
【０１０８】
この場合、一時保留部１０３に収納されている２枚の５００円硬貨のうち、最初に一時保留部１０３から繰り出された５００円硬貨は返却対象とされ、２番目に繰り出された５００円硬貨は、返却対象外とされる。また、一時保留部１０３に収納されている７枚の１００円硬貨のうち、１番目から３番目に一時保留部１０３から繰り出された１００円硬貨は返却対象とされ、４番目以降に繰り出された１００円硬貨は、返却対象外とされる。１０円、５円、１円硬貨も同様である。５０円硬貨は、出金用として収納されていた１枚のみであるため、返却対象外である。
【０１０９】
一時保留部１０３から繰り出された硬貨が、返却対象の硬貨である場合（Ｓ４０１：ＹＥＳ）、制御部２０１は、当該硬貨を、硬貨出金ボックス１６ａ、１６ｂのうち、処理を占有するテラー側の硬貨出金ボックスへ搬送させる（Ｓ４０２）。他方、一時保留部１０３から繰り出された硬貨が、返却対象の硬貨でない場合（Ｓ４０１：ＮＯ）、制御部２０１は、当該硬貨を、当該硬貨の金種に対応する硬貨収納部１０２へ搬送させる（Ｓ４０３）。
【０１１０】
図９（ａ）は、硬貨の入金処理において、投入された硬貨が一時保留部１０３に収納される流れを模式的に示す図である。図９（ｂ）は、図８（ｂ）の返却処理が行われる場合の硬貨の流れを模式的に示す図である。図９（ｂ）において、点線は、返却される硬貨の流れを示し、破線は、硬貨収納部１０２に戻される硬貨の流れを示している。ここでは、右側の硬貨出金ボックス１６ａが返却先となっている。
【０１１１】
図９（ａ）に示すように、入金処理において硬貨入金口１３に投入された硬貨は、一旦、一時保留部１０３に収納される。このとき、一時保留部１０３には、予め、９９９円分の出金用の硬貨が収納されている。このため、硬貨入金口１３に投入された硬貨は、一時保留部１０３において、９９９円分の出金用の硬貨と混ざり合う。よって、返却処理時には、一時保留部１０３に収納されている硬貨のうち、硬貨入金口１３に投入された硬貨と同額の硬貨が、硬貨出金ボックス１６ａへと搬送される必要がある。
【０１１２】
図９（ｂ）に示すように、硬貨返却時には、一時保留部１０３から繰り出された硬貨のうち、返却対象の硬貨は、硬貨出金ボックス１６ａへ搬送される。返却対象でない硬貨は、分岐機構１１０により、対応する金種の硬貨収納部１０２に戻される。
【０１１３】
たとえば、上記のように、８３８円の硬貨が投入された場合、５０円の硬貨が一時保留部１０３から繰り出されると、この硬貨は、返却対象外であるため、硬貨収納部１０２へと戻される。その他の金種の硬貨が一時保留部１０３から繰り出されると、これらの硬貨は、返却総額が８３８円に到達するまでは、硬貨出金ボックス１６ａに搬送され、返却総額が８３８円に到達した後は、対応する金種の硬貨収納部１０２へと搬送される。
【０１１４】
なお、一時保留部１０３における硬貨の繰り出しは、投入金額に対応する硬貨が硬貨出金ボックス１６ａ、１６ｂに搬送されることに応じて終了する。たとえば、上記のように、８３８円の硬貨が返却される場合、５００円硬貨１枚と、１００円硬貨３枚と、１０円硬貨３枚と、５円硬貨１枚と、１円硬貨３枚が、識別部１０８により識別されたことに応じて、一時保留部１０３における硬貨の繰り出しが終了する。この場合、一時保留部１０３から繰り出されなかった硬貨は、一時保留部１０３に残留する。その後、図４（ａ）のステップＳ１０１における出金準備処理により、９９９円に対して不足する金額の硬貨が、対応する硬貨収納部１０２から繰り出されて、一時保留部１０３へと搬送される。
【０１１５】
なお、返却処理時には、上記のように一時保留部１０３の硬貨を残留させることなく、出金対象外の硬貨も全て一時保留部１０３から繰り出して、対応する金種の硬貨収納部１０２に戻すようにしてもよい。この場合、出金処理後に行われる出金準備処理（図４（ａ）のステップＳ１０１）により、９９９円分の硬貨が、３つの硬貨収納部１０２から繰り出されて、一時保留部１０３へと搬送される。
【０１１６】
なお、図８（ｂ）の返却処理では、返却対象外の硬貨が、対応する金種の硬貨収納部１０２に戻されたが（Ｓ４０３）、返却対象外の硬貨が、一時保留部１０３に戻されてもよい。
【０１１７】
図８（ｃ）は、この場合のサブルーチンを示すフローチャートである。
【０１１８】
図８（ｃ）の返却処理では、一時保留部１０３から繰り出された硬貨が、返却されるべき硬貨でない場合（Ｓ４０１：ＮＯ）、制御部２０１は、当該硬貨を、一時保留部１０３へ搬送させる（Ｓ４１０）。
【０１１９】
図９（ｃ）は、この返却処理における硬貨の流れを模式的に示す図である。
【０１２０】
返却対象の硬貨は、図９（ｂ）の場合と同様、硬貨出金ボックス１６ａへと搬送される。これに対し、返却対象外の硬貨は、図９（ｂ）の場合と異なり、分岐機構１０９により一時保留部１０３に送られる。
【０１２１】
この構成によれば、返却対象でない硬貨は、返却処理後に、必ず、一時保留部１０３に残留する。このため、返却処理が終了すると、一時保留部１０３には、出金用に収納されるべき９９９円分の硬貨が残ることになる。したがって、この構成では、返却処理後に、図４（ａ）のステップＳ１０１における出金準備処理を行わずに済む。よって、一時保留部１０３に対して、より効率的に、９９９円分の硬貨を収納させることができる。
【０１２２】
しかし、その反面、この構成では、返却対象外の硬貨が、返却処理の途中に一時保留部１０３に戻されて、再び、一時保留部１０３から繰り出されることが起こり得る。このため、返却処理の効率がやや低下することが起こり得る。したがって、返却処理をより効率的に進めるためには、図８（ｂ）および図９（ｂ）に示すように、返却対象外の硬貨を一時保留部１０３に戻さずに、対応する金種の硬貨収納部１０２に搬送することが好ましいと言える。
【０１２３】
＜実施形態１の効果＞
本実施形態１によれば、以下の効果が奏され得る。
【０１２４】
硬貨収納部１０２（第１収納部）が、取引対象の金種の数（６金種）より少ない数（３つ）だけ配置されるとともに、これら硬貨収納部１０２が、何れも、２金種の硬貨の収納先として割り当てられている。これにより、貨幣入出金機１内に配置される硬貨収納部１０２の数を顕著に減らすことができ、装置の小型化を図ることができる。また、出金動作に先立って出金用の硬貨が一時保留部１０３（第２収納部）に収納されるため、出金動作時に、一時保留部１０３から必要な硬貨を円滑に出金することができる。よって、本実施形態１に係る貨幣入出金機１によれば、円滑な出金動作を維持しつつ、装置の小型化を図ることができる。
【０１２５】
また、出金用の硬貨を収納する収納部（第２収納部）が、硬貨入金口１３（入金部）を介して入金された硬貨を一時的に収納する一時保留部１０３として共用されている。これにより、別途、入金された硬貨を一時的に収納する収納部を設ける必要がないため、装置の小型化および簡素化を図ることができる。
【０１２６】
また、図８（ｂ）、（ｃ）を参照して説明したように、制御部２０１は、投入された硬貨を返却する返却処理時に、一時保留部１０３（第２収納部）に収納されている硬貨のうち、投入された金額に応じた硬貨を、識別部１０８を介して、硬貨出金ボックス１６ａ、１６ｂ（出金部）に搬送させる。これにより、返却動作時に、一時保留部１０３に混在する硬貨のうち、投入金額に応じた硬貨が、一時保留部１０３から硬貨出金ボックス１６ａ、１６ｂに搬送されるため、投入金額に応じた硬貨を円滑に返却することができる。
【０１２７】
また、出金用の硬貨として、全ての金種の硬貨が一時保留部１０３（第２収納部）に収納される。これにより、一時保留部１０３に全ての金種の硬貨が揃っているため、一時保留部１０３に収納された硬貨を搬送するのみで出金に対応でき易くなる。よって、出金動作を、円滑かつ迅速に行うことができる。
【０１２８】
特に、実施形態１では、図４（ａ）のステップＳ１０１における所定の条件が、一時保留部１０３（第２収納部）に収納される硬貨の合計金額が９９９円となることに設定されている。このように、総額が９９９円となるように硬貨が一時保留部１０３に収納されていれば、一時保留部１０３に収納されている硬貨のみで出金に対応でき、出金処理時に、別途、硬貨収納部１０２（第１収納部）から硬貨を搬出させる必要がない。よって、出金動作を円滑に行うことができる。
【０１２９】
なお、図４（ａ）のステップＳ１０１における所定の条件は、必ずしも、一時保留部１０３（第２収納部）に収納される硬貨の合計金額が９９９円となることに限定されるものではない。たとえば、ステップＳ１０１における所定の条件が、各金種の硬貨が１枚ずつ一時保留部１０３（第２収納部）に収納されることであってもよい。ただし、この場合は、たとえば、出金処理時に５３１円を出金する必要がある場合に、一時保留部１０３からは１０円硬貨を１枚しか出金できず、残り２枚の１０円硬貨は、硬貨収納部１０２から繰り出して出金する必要がある。
【０１３０】
このため、より円滑かつ迅速に出金動作を進めるためには、上記のように、ステップＳ１０１における所定の条件が、一時保留部１０３（第２収納部）に収納される硬貨の合計金額が９９９円になることに設定されることが好ましい。これにより、一時保留部１０３に収納された硬貨のみによって、どのような金額の出金処理にも対応できるようになる。
【０１３１】
また、たとえば、図６を参照して説明したように、制御部２０１は、出金処理時に、一時保留部１０３（第２収納部）に収納された硬貨のうち、出金対象でない硬貨を、分岐機構１１０（分岐部）により、搬送経路から退出させる。これにより、出金動作時に、出金対象の硬貨のみを硬貨出金ボックス１６ａ、１６ｂ（出金部）に円滑に導くことができる。
【０１３２】
ここで、制御部２０１は、図４（ｂ）および図６を参照して説明したように、出金処理において、出金対象でない硬貨を、当該硬貨の金種に対応する硬貨収納部１０２（第１収納部）に戻す制御を行う。これにより、出金動作時に、一時保留部１０３（第２収納部）から搬出された出金対象でない硬貨が再度、一時保留部１０３に戻されて、一時保留部１０３から搬出されることが回避される。これにより、出金動作を効率的に行うことができる。
【０１３３】
あるいは、制御部２０１は、図４（ｃ）および図７を参照して説明したように、出金処理において、出金対象でない硬貨を、一時保留部１０３（第２収納部）に戻す制御を行う。これにより、出金動作後に、一時保留部１０３により多くの硬貨を残すことができ、出金準備処理（図４（ａ）のステップＳ１０１）により一時保留部１０３に補充すべき硬貨の数を減らすことができる。よって、出金動作後に行われる出金準備処理をより効率的に行うことができる。
【０１３４】
＜変更例１＞
上記実施形態１では、予め出金用の硬貨が一時保留部１０３に収納されているため、入金処理時に投入された硬貨が一時保留部１０３に送り込まれると、投入された硬貨が出金用の硬貨に混ざってしまっていた。これに対し、変更例１では、入金操作に応じて一時保留部１０３から出金用の硬貨が退出され、その後、投入された硬貨が一時保留部１０３に送り込まれるように制御が行われる。
【０１３５】
図１０は、変更例１に係る、硬貨の入金処理を示すフローチャートである。
【０１３６】
図１０のフローチャートは、図８（ａ）のフローチャートに比べ、ステップＳ３１０が追加され、ステップＳ３０６がステップＳ３１１に置き換えられている。すなわち、図１０のフローチャートでは、入金操作が行われると（Ｓ３０１：ＹＥＳ）、制御部２０１は、まず、一時保留部１０３に収納されている出金用の硬貨を順番に繰り出して、各硬貨を、それぞれ、対応する金種の硬貨収納部１０２へと搬送する（Ｓ３１０）。これにより、出金用の硬貨を全て一時保留部１０３から退出させた後、制御部２０１は、硬貨入金口１３に投入された硬貨を一時保留部１０３に搬送する（Ｓ３０２）。
【０１３７】
この制御により、入金処理時に一時保留部１０３に収納される硬貨は、入金処理時に投入された硬貨のみとなる。すなわち、上記実施形態１のように、入金処理時に投入された硬貨と出金用の硬貨が一時保留部１０３において混在することがない。したがって、返却操作が行われた場合（Ｓ３０５：ＹＥＳ）、制御部２０１は、一時保留部１０３に収納されている全ての硬貨をそのまま、硬貨出金ボックス１６ａ、１６ｂに搬送すればよい（Ｓ３１１）。すなわち、この変更例では、図８（ｂ）、（ｃ）に示した返却処理を省略できる。
【０１３８】
図１１（ａ）〜（ｄ）は、それぞれ、変更例１に係る、入金処理時における硬貨の流れを模式的に示す図である。
【０１３９】
入金操作が行われると、まず、図１１（ａ）に示すように、一時保留部１０３に収納されている出金用の硬貨が、繰出機構１０６により、一時保留部１０３から順番に繰り出される。繰り出された各硬貨は、識別部１０８により金種の識別がなされた後、分岐機構１１０によって、それぞれ対応する金種の硬貨収納部１０２に搬送される。これにより、一時保留部１０３が空になる。
【０１４０】
次に、図１１（ｂ）に示すように、硬貨入金口１３に投入された硬貨が、繰出機構１０４により、硬貨受け入れ部１０１から順番に繰り出される。繰り出された各硬貨は、識別部１０８により金種の識別がなされた後、分岐機構１０９によって、一時保留部１０３に送り込まれる。
【０１４１】
その後、入金を確定させる入力が行われると、図１１（ｃ）に示すように、一時保留部１０３に収納されている硬貨が、繰出機構１０６により、一時保留部１０３から順番に繰り出される。繰り出された各硬貨は、識別部１０８により金種の識別がなされた後、分岐機構１１０によって、それぞれ対応する金種の硬貨収納部１０２に搬送される。これにより、入金処理が終了する。このとき、一時保留部１０３は、空になっている。その後、図４（ａ）のステップＳ１０１において出金準備処理が行われ、一時保留部１０３に、９９９円分の硬貨が収納される。
【０１４２】
他方、返却操作が行われると、図１１（ｄ）に示すように、一時保留部１０３に収納されている全ての硬貨が、繰出機構１０６により、一時保留部１０３から順番に繰り出されて、硬貨出金ボックス１６ａに搬送される。これにより、入金処理が終了する。この場合も、一時保留部１０３は、空になっている。その後、図４（ａ）のステップＳ１０１において出金準備処理が行われ、一時保留部１０３に、９９９円分の硬貨が収納される。
【０１４３】
変更例１の構成によれば、入金時に投入された硬貨が、一時保留部１０３において、出金用の硬貨と混ざることがない。このため、上記実施形態１に比べて、返却処理を簡素化できる。
【０１４４】
＜変更例２＞
上記実施形態１では、３つの硬貨収納部１０２が、それぞれ、２つの金種の硬貨を収納する。この場合、硬貨収納部１０２に収納されている硬貨が何れか一方の金種に偏ると、他方の金種の硬貨が繰り出される確率が低くなる。このため、一時保留部１０３に出金用の硬貨を収納するための出金準備処理が円滑に行われにくくなり、当該処理に要する時間が長くなってしまう。
【０１４５】
そこで、変更例２では、硬貨収納部１０２における金種間の収納枚数の割合を所定の割合に維持するための制御が行われる。たとえば、この割合は、１：３〜３：１程度に設定され得る。発明者らの検討によると、割合が大きく偏った場合には、一時保留部１０３に９９９円の硬貨を収納するのに数分程度要したところ、各硬貨収納部１０２に収納される２金種の割合をそれぞれ１：３〜３：１に設定することにより、最大１０数秒程度で、一時保留部１０３に９９９円の硬貨を収納できることが確認された。
【０１４６】
図１２（ａ）は、変更例２に係る、硬貨収納部１０２に収納された各金種の硬貨の割合を所定の割合に維持するための処理を示すフローチャートである。この処理は、入金処理が行われた場合等、硬貨収納部１０２に収納される硬貨に変動が生じた場合に、硬貨収納部１０２ごとに実行される。
【０１４７】
制御部２０１は、２金種のうち何れか一方の金種の硬貨の割合（２金種の硬貨の総枚数に占める各金種の硬貨の枚数の割合）が所定の割合（たとえば、３／４）を超えるか否かを判定する（Ｓ５０１）。制御部２０１は、識別部１０８を経由して硬貨収納部１０２に硬貨が収納されるごとに、当該硬貨収納部１０２に収納されている各金種の硬貨の枚数を記憶部２０２に更新記憶させる。ステップＳ２０１の判定において、制御部２０１は、記憶部２０２に記憶された各金種の硬貨の枚数に基づいて、各金種の硬貨の割合を求め、求めた割合が所定の割合を超えるか否かを判定する。
【０１４８】
何れの金種の割合も所定の割合を超過しない場合（Ｓ５０１：ＮＯ）、制御部２０１は、処理を終了する。他方、何れか一方の金種の割合が所定の割合を超える場合（Ｓ５０１：ＹＥＳ）、制御部２０１は、所定の割合を超過する金種の硬貨の収納枚数が所定の下限値以上であるか否かを判定する（Ｓ５０２）。当該金種の硬貨の収納枚数が下限値を下回る場合（Ｓ５０２：ＮＯ）、制御部２０１は、処理を終了する。他方、当該金種の硬貨の収納枚数が下限値以上である場合（Ｓ５０２：ＹＥＳ）、制御部２０１は、所定の割合を超過する金種の硬貨（回収対象硬貨）を１枚ずつ硬貨収納部１０２から繰り出して硬貨回収部１１３に搬送する（Ｓ５０３）。これにより、当該金種の硬貨の割合が徐々に減少する。
【０１４９】
その後、制御部２０１は、所定の割合を超過していた金種の硬貨の割合が所定の割合に到達するか（Ｓ５０４：ＹＥＳ）、あるいは、当該金種の硬貨の枚数が下限値に到達するまで（Ｓ５０５：ＹＥＳ）、ステップＳ５０３の処理を繰り返し行う。そして、制御部２０１は、ステップＳ５０４またはステップＳ５０５の判定がＹＥＳとなったことに応じて、処理を終了する。
【０１５０】
図１２（ｂ）は、図１２（ａ）の処理が実行された場合の硬貨の流れを模式的に示す図である。ここでは、前から２番目の硬貨収納部１０２において一方の金種の硬貨の割合が所定の割合を超えている。
【０１５１】
この場合、前から２番目の硬貨収納部１０２から繰出機構１０６により硬貨が繰り出されて搬送部１０７により搬送され、識別部１０８により金種が識別される。ここで、当該硬貨が、所定の割合を超過した金種の硬貨（回収対象硬貨）である場合、当該硬貨は、硬貨回収部１１３へと搬送される。他方、当該硬貨が、所定の割合を超過した金種の硬貨（回収対象硬貨）でない場合、当該硬貨は、前から２番目の硬貨収納部１０２に戻される。こうして、所定の割合を超過した金種の硬貨の割合が減少する。その後、図１２（ａ）のステップＳ５０４またはステップＳ５０５の何れかがＹＥＳになると、硬貨の繰出が終了する。
【０１５２】
変更例２の構成によれば、収納枚数の割合が所定の割合を超えた金種の硬貨が、硬貨収納部１０２（第１収納部）から硬貨回収部１１３へと搬送されるため、硬貨収納部１０２における金種間の収納枚数の割合を所定の割合に維持できる。よって、何れの金種についても、長時間を要することなく、硬貨収納部１０２から一時保留部（第２収納部）に出金用の硬貨を移動させることができる。
【０１５３】
また、収納枚数の割合が所定の割合を超える金種が生じた場合であっても（Ｓ５０１：ＹＥＳ）、当該金種の硬貨の収納枚数が所定の下限値を下回る場合は（Ｓ５０２：ＮＯ）、当該金種の硬貨を硬貨収納部１０２（第１収納部）から退出させる制御（Ｓ５０３）が行われない。これにより、硬貨収納部１０２に所定金種の硬貨が不足することを防ぐことができる。
【０１５４】
＜変更例３＞
上述の変更例２では、硬貨収納部１０２における金種間の収納枚数の割合を所定の割合に維持するための制御として、所定の割合を超える金種の硬貨を硬貨収納部１０２から退出させる制御が行われた。これに対し、変更例３では、硬貨収納部１０２における金種間の収納枚数の割合を所定の割合に維持するための制御として、所定の割合を下回る金種の硬貨を硬貨収納部１０２に補充させるための制御が行われる。
【０１５５】
変更例３においても、硬貨収納部１０２に収納される硬貨の枚数に変動が生じた場合に、図１３（ａ）の処理が行われる。
【０１５６】
図１３（ａ）を参照して、制御部２０１は、当該硬貨収納部１０２に収納される２金種のうち何れか一方の金種の硬貨の割合（２金種の硬貨の総枚数に占める各金種の硬貨の枚数の割合）が所定の割合（たとえば、１／４）を下回ったか否かを判定する（Ｓ６０１）。何れの金種の割合も所定の割合を下回っていない場合（Ｓ６０１：ＮＯ）、制御部２０１は、処理を終了する。
【０１５７】
他方、何れか一方の金種の割合が所定の割合を下回っている場合（Ｓ６０１：ＹＥＳ）、制御部２０１は、当該硬貨収納部１０２に収納されている２金種の硬貨の総枚数が所定の上限値未満であるか否かを判定する（Ｓ６０２）。硬貨の総枚数が上限値以上である場合（Ｓ６０２：ＮＯ）、制御部２０１は、処理を終了する。他方、硬貨の総枚数が上限値未満の場合（Ｓ６０２：ＹＥＳ）、制御部２０１は、所定の割合を下回る金種の硬貨の補充を促す報知を行う（Ｓ６０３）。
【０１５８】
この報知として、たとえば、制御部２０１は、所定の割合を下回る金種の硬貨を補充することを促す画面を操作表示部１７に表示させる。たとえば、所定の割合を下回る金種が１０円である場合、「１０円を補充してください」とのメッセージとＯＫボタンを含む画面が操作表示部１７に表示される。
【０１５９】
制御部２０１は、硬貨の補充を受け付けたか否かを判定する（Ｓ６０４）。具体的には、上記報知に応じて、テラー（操作者）が、補充対象の硬貨を硬貨入金口１３に投入し、報知画面のＯＫボタンを押下したか否かを判定する。硬貨の補充を受け付けると（Ｓ６０４：ＹＥＳ）、制御部２０１は、補充された硬貨を補充対象の硬貨収納部１０２に搬送する補充処理を実行して（Ｓ６０５）、その後、処理を終了する。
【０１６０】
図１３（ｂ）は、図１３（ａ）の補充処理における硬貨の流れを模式的に示す図である。ここでは、前から２番目の硬貨収納部１０２が硬貨の補充対象となっている。
【０１６１】
テラー（操作者）により補充処理の受付操作がなされると、図１３（ｂ）の点線に示すように、硬貨入金口１３に投入された補充対象の硬貨が、１枚ずつ、硬貨受け入れ部１０１から繰り出され、識別部１０８を介して、補充対象の硬貨収納部１０２に送られる。これにより、当該硬貨収納部１０２における補充対象硬貨の金種の割合が徐々に高まる。
【０１６２】
この動作は、硬貨受け入れ部１０１に収納されている全ての硬貨が繰り出されるまで行われる。その間に、補充対象の硬貨収納部１０２に収納されている２金種の硬貨の総枚数が上限値に到達すると、その後に繰り出された硬貨は、図１３（ｂ）の破線に示すように、硬貨出金ボックス１６ａへと搬送される。誤って補充対象でない硬貨が投入された場合も、その硬貨は、硬貨出金ボックス１６ａに搬送される。こうして、補充処理が終了する。
【０１６３】
その後、図１３（ａ）の処理が行われ、補充された硬貨の金種の割合が所定の割合以上となったか否かが確認される（Ｓ６０１）。当該金種の割合が所定の割合以上となっていない場合（Ｓ６０１）、再度、ステップＳ６０２以降の処理が行われ、適宜、硬貨の補充を促す報知が行われる。こうして、補充対象の硬貨の金種の割合が所定の割合以上に維持される。
【０１６４】
なお、図１３（ａ）のステップＳ６０３における報知では、さらに、補充対象の硬貨の枚数が報知画面に含められてもよい。この枚数は、補充対象の硬貨の金種の割合を所定の割合に到達させるのに必要な枚数、および、現在の２金種の硬貨の総枚数と上限値との差分の枚数のうち、少ない方の枚数に設定される。これにより、補充処理が行われた後に、再度、図１３（ａ）の処理を行う必要がなくなり、処理の簡素化が図られ得る。なお、ステップＳ６０３の報知は、画面に限らず、音声等によって行われてもよい。
【０１６５】
変更例３の構成によれば、枚数の割合が低い金種の硬貨が、報知に応じて、硬貨収納部１０２（第１収納部）に補充されるため、硬貨収納部１０２に収納される各金種の貨幣の割合を所定の割合に円滑に調整できる。
【０１６６】
なお、硬貨の補充により硬貨収納部１０２に収納されている２金種の硬貨の総枚数が増えすぎると、繰出機構１０６によって第１収納部から硬貨が円滑に繰り出されにくくなり、硬貨の繰出に時間が掛かり易くなる。これに対し、変更例３では、図１３（ａ）のステップＳ６０２によって、硬貨の総枚数が上限以上である場合は、硬貨の補充が行われないように制御される。これにより、各硬貨収納部１０２から硬貨を円滑かつ迅速に繰り出すことができる。
【０１６７】
＜変更例４＞
変更例４では、硬貨収納部１０２における金種間の収納枚数の割合を所定の割合に維持するための制御として、入金処理の際に、所定の割合を超える金種の硬貨を硬貨収納部１０２に収納させずに硬貨回収部１１３へと搬送する制御が行われる。
【０１６８】
図１４は、変更例４に係る、硬貨の入金処理を示すフローチャートである。
【０１６９】
図１４のフローチャートでは、図８（ａ）のフローチャートに比べて、ステップＳ３２１〜Ｓ３２３が追加されている。ステップＳ３２１〜Ｓ３２３以外のステップにおける処理は、図８（ａ）の場合と同様である。
【０１７０】
制御部２０１は、テラー（操作者）から確定操作を受け付けると（Ｓ３０３：ＹＥＳ）、硬貨受け入れ部１０１から繰り出した硬貨の金種に対応する硬貨収納部１０２において、当該硬貨の金種の割合が所定の割合（たとえば３／４）を超えているか否かを判定する（Ｓ３２１）。ここで、ステップＳ３２１の判定がＮＯの場合、制御部２０１は、当該硬貨を、対応する金種の硬貨収納部１０２に送る（Ｓ３０４）。
【０１７１】
他方、ステップＳ３２１の判定がＹＥＳの場合、制御部２０１は、さらに、搬送先の硬貨収納部１０２における２金種の硬貨の総枚数が下限値以上であるか否かを判定する（Ｓ３２２）。ここで、ステップＳ３２２の判定がＮＯの場合、制御部２０１は、当該硬貨を、対応する金種の硬貨収納部１０２に送る（Ｓ３０４）。他方、ステップＳ３１２の判定がＹＥＳの場合、制御部２０１は、当該硬貨を、対応する金種の硬貨収納部１０２ではなく、硬貨回収部１１３へと送る（Ｓ３２３）。ステップＳ３２１〜Ｓ３２３、Ｓ３２４の処理は、一時保留部１０３に収納された全ての硬貨に対して行われる。
【０１７２】
図１５（ａ）、（ｂ）は、それぞれ、図１４の処理が実行された場合の硬貨の流れを模式的に示す図である。
【０１７３】
まず、図１５（ａ）に示すように、図１４のステップＳ３０１、Ｓ３０２の処理により、硬貨受け入れ部１０１に投入された硬貨が、識別部１０８を介して、一時保留部１０３に送られる。その後、テラー（操作者）によって、入金を確定させる操作が行われると、硬貨が、一時保留部１０３から１枚ずつ繰り出され、識別部１０８へと搬送される。
【０１７４】
ここで、繰り出された硬貨の金種に対応する硬貨収納部１０２において、図１４のステップＳ３２１、Ｓ３２２の判定の何れかがＮＯである場合、当該硬貨は、対応する金種の硬貨収納部１０２に送られる。他方、繰り出された硬貨の金種に対応する硬貨収納部１０２において、図１４のステップＳ３２１、３２２の判定の両方がＹＥＳである場合、当該硬貨は、硬貨回収部１１３に送られる。
【０１７５】
図１５（ｂ）の例では、前から１番目の硬貨収納部１０２のみにおいて、図１４のステップＳ３２１、Ｓ３２２の両方の判定がＹＥＳとなっている。このため、前から１番目の硬貨収納部１０２に割り当てられた金種のうち、枚数の割合が所定の割合を超える金種の硬貨は、前から１番目の硬貨収納部１０２に送られずに、硬貨回収部１１３へと送られる。前から２番目および３番目の硬貨収納部１０２の金種に対応する硬貨は、一時保留部１０３から繰り出された後、対応する硬貨収納部１０２へと送られて収納される。
【０１７６】
以上のように、変更例４では、入金動作時において、所定の割合を超える金種の硬貨は、硬貨収納部１０２（第１収納部）を介することなく、硬貨回収部１１３に搬送される。これにより、所定の割合を超える金種の硬貨の割合がさらに増加することを防ぐことができ、各金種の硬貨を迅速に繰り出すことができる。
【０１７７】
また、収納枚数の割合が所定の割合を超える金種であっても（Ｓ３２１：ＹＥＳ）、当該金種の硬貨の収納枚数が所定の下限値を下回る場合は（Ｓ３２２：ＮＯ）、当該金種の硬貨を、硬貨回収部１１３ではなく硬貨収納部１０２（第１収納部）に収納させる。これにより、硬貨収納部１０２に所定金種の硬貨が不足することを防ぐことができる。
【０１７８】
＜変更例５＞
上記実施形態１では、操作表示部１７に対して出金操作がなされた場合に、図４（ａ）、（ｂ）の処理が実行された。これに対し、変更例５では、上位端末２から貨幣入出金機１に硬貨の出金指示がなされた場合に、図１６の処理が実行される。
【０１７９】
上位端末２からの出金指示では、指示された金額が一時保留部１０３に予め収納された硬貨の金額を超える場合がある。たとえば、１０円硬貨、１００円硬貨および５００円硬貨を各１０枚ずつ出金する指示が上位端末２から貨幣入出金機１に送信される場合がある。制御部２０１は、上位端末２から出金指示を受信した場合、指示内容に応じて、一時保留部１０３と硬貨収納部１０２の何れから硬貨を出金するかを選択的に決定する。
【０１８０】
図１６に示すように、制御部２０１は、上記実施形態１と同様、出金処理に先立って、所定の条件で一時保留部１０３に各金種の硬貨を収納する処理を実行する（Ｓ１１１）。ステップＳ１１１の処理は、図４（ａ）のステップＳ１０１の処理と同様である。
【０１８１】
その後、上位端末２から出金指示を受信すると（Ｓ１１２：ＹＥＳ）、制御部２０１は、一時保留部１０３に予め収納された硬貨により当該出金指示に対応可能か否かを判定する（Ｓ１１３）。具体的には、制御部２０１は、出金指示により指示された何れの金種の硬貨の枚数も、一時保留部１０３に予め収納された各金種の硬貨の枚数を超えない場合に、ステップＳ１１３の判定をＹＥＳとし、それ以外の場合に、ステップＳ１１３の判定をＮＯとする。
【０１８２】
ステップＳ１１３の判定がＹＥＳの場合、制御部２０１は、ステップＳ１１４〜Ｓ１１７の処理を実行する。ステップＳ１１４〜Ｓ１１７の処理は、それぞれ、図４（ａ）のステップＳ１０３〜Ｓ１０６の処理と同様である。
【０１８３】
ステップＳ１１３の判定がＮＯの場合、制御部２０１は、出金指示に応じた金種の硬貨を硬貨収納部１０２から繰り出し（Ｓ１１８）、繰り出した硬貨に対して選別処理を実行する（Ｓ１１９）。ステップＳ１１９の選別処理として、図４（ｂ）または図４（ｃ）の選別処理が行われる。
【０１８４】
ここで、図４（ｂ）の処理が行われる場合、硬貨収納部１０２から繰り出された硬貨のうち、出金対象の硬貨は、硬貨出金ボックス１６ａへと搬送され、出金対象外の硬貨は、当該硬貨が繰り出された硬貨収納部１０２に戻される。また、図４（ｃ）の処理が行われる場合、硬貨収納部１０２から繰り出された硬貨のうち、出金対象の硬貨は、硬貨出金ボックス１６ａへと搬送され、出金対象外の硬貨は、一時保留部１０３に収納される。
【０１８５】
こうして、出金指示に応じた出金処理が完了すると（Ｓ１２０：ＹＥＳ）、制御部２０１は、硬貨収納部１０２に対する硬貨の繰出しを終了させ（Ｓ１１７）、処理を終了する。
【０１８６】
図１７（ａ）、（ｂ）は、それぞれ、図１６のステップＳ１１８〜Ｓ１２０処理が実行された場合の硬貨の流れを模式的に示す図である。
【０１８７】
図１７（ａ）は、図１６のステップＳ１１９の選別処理として、図４（ｃ）の処理が実行された場合の硬貨の流れを示している。この場合、硬貨収納部１０２から繰り出された硬貨のうち、出金対象の硬貨は、硬貨出金ボックス１６ａに搬送され、出金対象外の硬貨は、一時保留部１０３に収納される。この処理によれば、出金対象外の硬貨が硬貨収納部１０２に戻されないため、硬貨収納部１０２から出金対象の硬貨が繰り出されやすくなる。ただし、この処理では、一時保留部１０３に出金対象外の硬貨が混入するため、出金後に、図１６のステップＳ１１１の処理により、余分な硬貨を一時保留部１０３から排出して、所定の条件で一時保留部１０３に硬貨を収納させる必要がある。
【０１８８】
図１７（ｂ）は、図１６のステップＳ１１９の選別処理として、図４（ｂ）の処理が実行された場合の硬貨の流れを示している。この場合、硬貨収納部１０２から繰り出された硬貨のうち、出金対象の硬貨は、硬貨出金ボックス１６ａに搬送され、出金対象外の硬貨は、当該硬貨が繰り出された硬貨収納部１０２に戻される。この処理によれば、出金対象外の硬貨が一時保留部１０３に混入しないため、出金処理後に、図１６のステップＳ１１１の処理を実行する必要がない。ただし、この処理では、出金対象外の硬貨が硬貨収納部１０２に戻されるため、硬貨収納部１０２から出金対象の硬貨が繰り出されにくくなる。
【０１８９】
なお、出金対象外の硬貨は、硬貨受け入れ部１０１に搬送されてもよい。こうすると、出金対象外の硬貨が硬貨収納部１０２に戻されないため、硬貨収納部１０２から出金対象の硬貨が繰り出されやすくなり、また、一時保留部１０３に出金対象外の硬貨が混入しないため、出金処理後に、図１６のステップＳ１１１の処理を実行する必要もなくなる。この場合、出金処理後に、硬貨受け入れ部１０１から硬貨収納部１０２に硬貨を戻す処理が行われる。
【０１９０】
＜実施形態２＞
上記実施形態１では、一時保留部１０３が、出金用の硬貨の収納先に共用された。これに対し、本実施形態２では、図１８に示すように、一時保留部１０３とは別に、出金用の硬貨を収納するための硬貨収納部１２０が設けられている。
【０１９１】
実施形態２では、硬貨収納部１０２が、特許請求の範囲に記載の「第１収納部」に対応し、硬貨収納部１２０が、特許請求の範囲に記載の「第２収納部」に対応する。
【０１９２】
上記実施形態１と同様、硬貨収納部１２０には、９９９円の硬貨が収納され、３つの硬貨収納部１０２には、それぞれ、２金種の硬貨が収納される。実施形態２における出金処理は、上記実施形態１と同様である。図４（ａ）のステップＳ１０１では、各金種の硬貨が硬貨収納部１２０に収納される。出金処理時には、硬貨の出金金額に応じて、硬貨収納部１２０から硬貨出金ボックス１６ａ、１６ｂに硬貨が搬送される。また、入金処理の際には、一時保留部１０３に出金用の硬貨が存在しないため、硬貨入金口１３に投入された硬貨のみが一時保留部１０３に収納される。よって、返却処理の際には、一時保留部１０３に収納された硬貨の全てが、硬貨出金ボックス１６ａ、１６ｂに搬送される。
【０１９３】
実施形態２の構成によっても、実施形態１と同様、硬貨収納部１０２（第１収納部）の数を削減できるため、装置の小型化を図ることができる。また、出金動作に先立って出金用の硬貨が硬貨収納部１２０（第２収納部）に収納されるため、出金動作時に、一時保留部１０３から必要な硬貨を円滑に出金することができる。よって、本実施形態２に係る貨幣入出金機１においても、円滑な出金動作を維持しつつ、装置の小型化を図ることができる。
【０１９４】
なお、本実施形態２においても、上記変更例２〜４が同様に適用可能である。
【０１９５】
＜実施形態３＞
上記実施形態１、２では、３つの硬貨収納部１０２に対し、それぞれ、２つの金種が割り当てられた。これに対し、本実施形態では、図１９に示すように、３つの金種が割り当てられた硬貨収納部１０２ａと、それぞれ１つの金種が割り当てられた硬貨収納部１０２ｂとが設けられている。また、上記実施形態２と同様、一時保留部１０３とは別に、出金用の硬貨を収納するための硬貨収納部１２０が設けられている。
【０１９６】
実施形態３では、硬貨収納部１０２ａ、１０２ｂが、特許請求の範囲に記載の「第１収納部」に対応し、硬貨収納部１２０が、特許請求の範囲に記載の「第２収納部」に対応する。
【０１９７】
硬貨収納部１２０には、硬貨収納部１０２ａに割り当てられた３つの金種の硬貨のみが収納される。
【０１９８】
たとえば、硬貨収納部１０２ａには、５円、５０円、５００円の金種が割り当てられ、出金用の硬貨収納部１２０には、５円、５０円、５００円の硬貨が１枚ずつ収納される。すなわち、図４（ａ）のステップＳ１０１における「所定の条件」は、５円、５０円、５００円の硬貨が１枚ずつ硬貨収納部１２０に収納されることである。出金処理の際、５円、５０円、５００円の硬貨は、どのような出金金額であっても、最大１枚ずつしか出金されない。硬貨収納部１２０は、出金処理時に最大１枚ずつしか出金されない金種の収納に用いられる。残り３つの硬貨収納部１０２ｂには、それぞれ、１円、１０円、１００円の金種が割り当てられる。
【０１９９】
なお、硬貨収納部１０２ａに割り当てられる金種は、必ずしも、５円、５０円、５００円でなくてもよい。たとえば、硬貨収納部１０２ａに割り当てられる金種が、５円、１０円、５０円でもよい。この場合、硬貨収納部１２０に収納される出金用の硬貨は、５円および５０円が各１枚と、１０円が４枚であればよい。あるいは、硬貨収納部１０２ａに割り当てられる金種が、５円、５０円、１００円、５００円であってもよい。この場合、硬貨収納部１２０に収納される出金用の硬貨は、５円、５０円および５００円が各１枚と、１００円が４枚であればよい。
【０２００】
ただし、硬貨収納部１０２ａに割り当てられる金種が、５円、５０円、５００円である場合は、出金用の硬貨収納部１２０に、５円、５０円、５００円の各硬貨を１枚ずつ、合計３枚の硬貨を収納すればよいため、出金処理時に、５円、５０円、５００円の各硬貨が硬貨収納部１２０から繰り出され易くなる。このため、目標金種の硬貨を硬貨収納部１２０から迅速に繰り出すことができる。
【０２０１】
図２０（ａ）、（ｂ）は、実施形態３における出金処理時の硬貨の流れを模式的に示す図である。
【０２０２】
図２０（ａ）に示すように、出金処理時には、まず、出金額に応じた硬貨が出金用の硬貨収納部１２０から繰り出されて、硬貨出金ボックス１６ａへと搬送される。たとえば、出金されるべき硬貨の額が７８３円の場合、硬貨収納部１２０に収納されている５円、５０円、５００円の各硬貨のうち、５０円および５００円の硬貨が、図２０（ａ）の点線で示すように、硬貨収納部１２０から硬貨出金ボックス１６ａに搬送される。このとき、出金対象でない５円が硬貨収納部１２０から繰り出されると、この５円硬貨は、図２０（ａ）の破線で示すように、５円、５０円、５００円の金種が割り当てられた硬貨収納部１０２ａに送られる。
【０２０３】
次に、図２０（ｂ）に示すように、出金額に応じた硬貨が、それぞれ単一金種が割り当てられた硬貨収納部１０２ｂから繰り出されて、硬貨出金ボックス１６ａへと搬送される。上記のように、出金されるべき硬貨の額が７８３円の場合、３つの硬貨収納部１０２ｂから、それぞれ、１円硬貨３枚と、１０円硬貨３枚と、１００円硬貨２枚が繰り出されて、硬貨出金ボックス１６ａへと搬送される。これにより、出金処理が終了する。
【０２０４】
こうして、出金処理が終了した後、硬貨収納部１０２ａから硬貨が繰り出されて、５円、５０円、５００円の各硬貨が１枚ずつ、出金用の硬貨収納部１２０に収納される。出金処理により硬貨収納部１２０に硬貨が残っている場合は、５５５円に対して不足する金額の硬貨が、硬貨収納部１０２ａから硬貨収納部１２０に送られる。
【０２０５】
実施形態３の構成によっても、実施形態１と同様、硬貨収納部１０２（第１収納部）の数を削減できるため、装置の小型化を図ることができる。また、出金動作に先立って出金用の硬貨が硬貨収納部１２０（第２収納部）に収納されるため、出金動作時に、一時保留部１０３から必要な硬貨を円滑に出金することができる。よって、本実施形態２に係る貨幣入出金機１においても、円滑な出金動作を維持しつつ、装置の小型化を図ることができる。
【０２０６】
また、硬貨入出金ユニット１２は、複数金種の硬貨を収納する硬貨収納部１０２ａ（第１収納部）の他、単一金種の硬貨を収納する硬貨収納部１０２ｂ（前記第１収納部）を含んでいる。これにより、出金動作時に、単一金種の硬貨を収納する硬貨収納部１０２ｂから硬貨を放出する必要がある場合に、当該硬貨収納部１０２ｂから、硬貨の選別なく円滑に、硬貨を搬送することができる。
【０２０７】
また、出金用の硬貨収納部１２０に収納される硬貨の条件（所定の条件）が、複数金種の貨幣を収納する硬貨収納部１０２ａ（第１の収納部）に設定された全ての金種の硬貨が出金用の硬貨収納部１２０（第２収納部）に収納されることに設定されている。これにより、出金動作時において、複数金種の硬貨を収納する硬貨収納部１０２ａの金種については、出金用の硬貨収納部１２０に収納された硬貨により出金に対応できるため、出金に応じた金種の硬貨を硬貨収納部１０２ａから逐一選別して硬貨出金ボックス１６ａ、１６ｂに搬出することを抑制できる。また、その他の金種については、単一金種を収納する他の硬貨収納部１０２ｂから対応する金種を硬貨出金ボックス１６ａ、１６ｂに搬送すればよいだけであるため、円滑に、出金動作を進めることができる。よって、この構成によれば、円滑に、出金動作を行うことができる。
【０２０８】
特に、実施形態３では、出金用の硬貨収納部１２０（第２収納部）に収納される硬貨の条件（所定の条件）が、硬貨収納部１０２ａ（第１収納部）に設定された５円、５０円、５００円の各金種の硬貨が１枚ずつ収納されることに設定されている。１回の釣銭出金動作において、原則、５円、５０円および５００円の各硬貨は、１枚ずつしか出金されない。よって、このように、５円、５０円および５００円の各硬貨が１枚ずつ、出金用の硬貨収納部１２０に収納されていれば、これら金種の出金は、硬貨収納部１２０に収納されている硬貨のみで対応でき、これら金種が混在する硬貨収納部１０２ａから対応する金種の硬貨を逐一選別して硬貨出金ボックス１６ａ、１６ｂに搬送することを防止できる。よって、出金動作を円滑に行うことができる。
【０２０９】
なお、本実施形態３においても、上記変更例２〜４が同様に適用され得る。また、図１９の構成では、一時保留部１０３とは別に、出金用の硬貨収納部１２０が設けられたが、上記実施形態１と同様、一時保留部１０３が、出金用の硬貨を収納する収納部として共用されてもよい。これにより、装置をさらに小型化することができる。この場合、図１０に示した変更例１の入金処理が適用され得る。
【０２１０】
＜実施形態４＞
実施形態４では、釣銭を自動で払い出す釣銭機に本発明が適用される。
【０２１１】
釣銭機は、硬貨入出金ユニットと、紙幣入出金ユニットとを備え、ＰＯＳ端末の下部に設置される。ＰＯＳ端末から受信した釣銭額の通知に応じて、硬貨入出金ユニットと紙幣入出金ユニットから、釣銭額に応じた硬貨および紙幣が払い出される。また、硬貨入出金ユニットおよび紙幣入出金ユニットに硬貨および紙幣の入金がなされると、入金額の通知が、釣銭機からＰＯＳ端末に送信される。
【０２１２】
図２１（ａ）は、釣銭機に含まれる硬貨入出金ユニット３０の構成を示す図である。
【０２１３】
実施形態４では、硬貨収納部３０２が、特許請求の範囲に記載の「第１収納部」に対応し、予備収納部３０３が、特許請求の範囲に記載の「第２収納部」に対応する。また、釣銭機が、特許請求の範囲に記載の「貨幣処理装置」に対応する。
【０２１４】
上記のように、硬貨入出金ユニット３０は、硬貨の入金および釣り銭の払い出しに用いられる。硬貨入出金ユニット３０は、硬貨を投入するための硬貨投入口３１と、釣り銭を払い出すための出金部３２とを備える。出金部３２は、釣り銭が搬入される硬貨出金口３２ａを備える。硬貨投入口３１に投入された硬貨は、硬貨投入口３１の下方に配置された硬貨受け入れ部３０１に収容される。
【０２１５】
硬貨入出金ユニット３０の内部には、３つの硬貨収納部３０２と、予備収納部３０３が設けられている。３つの硬貨収納部３０２には、それぞれ、２金種が割り当てられている。たとえば、３つの硬貨収納部３０２に、それぞれ、１円および５円、１０円および５０円、１００円および５００円が割り当てられる。３つの硬貨収納部３０２は、それぞれ、割り当てられた金種の硬貨を収納する。
【０２１６】
予備収納部３０３は、出金用の硬貨を所定の条件で収納する。たとえば、所定の条件として、上記実施形態１と同様、９９９円分の硬貨が予備収納部３０３に収納されることが設定される。上記実施形態１と同様、所定の条件は、これに限られるものではない。
【０２１７】
硬貨受け入れ部３０１から硬貨を繰り出すための繰出機構３０４が設けられている。また、３つの硬貨収納部３０２からそれぞれ硬貨を繰り出すための繰出機構３０５が設けられ、さらに、予備収納部３０３から硬貨を繰り出すための繰出機構３０６が設けられている。これら繰出機構によって繰り出された硬貨は、搬送部３０７によって搬送される。搬送部３０７は、上記実施形態１と同様、時計回り方向に循環する循環ベルト３０７ａを備えている。
【０２１８】
硬貨受け入れ部３０１から繰出機構３０４により繰り出された硬貨は、識別部３０８に搬送され、識別部３０８により金種が識別される。識別部３０８の下流側には、３つの硬貨収納部３０２にそれぞれ硬貨を送り込むための３つの分岐機構３０９が設けられている。識別部３０８を通った硬貨は、３つの分岐機構３０９の何れかによって、対応する金種の硬貨収納部３０２に送られる。
【０２１９】
また、３つの硬貨収納部３０２から繰出機構３０５により繰り出された硬貨は、識別部３１０に搬送され、識別部３１０により金種が識別される。識別部３１０の下流側には、分岐機構３１１、３１２、３１３が設けられている。分岐機構３１１、３１２、３１３は、それぞれ、搬送部３０７に搬送される硬貨を、予備収納部３０３、硬貨受け入れ部３０１および硬貨出金口３２ａに送る。
【０２２０】
図２１（ｂ）は、釣銭機の構成を示すブロック図である。
【０２２１】
釣銭機は、硬貨入出金ユニット３０および紙幣入出金ユニット４０の他、回路部の構成として、制御部４０１と、記憶部４０２と、通信部４０３と、を備える。
【０２２２】
制御部４０１は、ＣＰＵ等の演算回路を備え、記憶部４０２に記憶された動作プログラムに従って各部を制御する。記憶部４０２は、ＲＯＭやＲＡＭ等の記憶媒体を備え、制御部４０１の動作プログラムを記憶し、また、制御部４０１の制御処理の際にワーク領域として利用される。通信部４０３は、ＰＯＳ端末（図示せず）との間で通信を行う。
【０２２３】
硬貨の入金処理において、制御部４０１は、繰出機構３０４および搬送部３０７を制御して、硬貨受け入れ部３０１に投入された硬貨を、対応する金種の硬貨収納部３０２に収納させる。また、制御部４０１は、硬貨の出金処理に先立って、繰出機構３０５および分岐機構３１１により、９９９円分の硬貨を、３つの硬貨収納部３０２から予備収納部３０３に収納させる。そして、制御部４０１は、硬貨の出金処理において、ＰＯＳ端末から受信した釣銭額に応じた金種の硬貨を、繰出機構３０６および搬送部３０７により、予備収納部３０３から硬貨出金口３２ａに払い出させる。
【０２２４】
図２２（ａ）は、予備収納部３０３に対して硬貨を収納する際の硬貨の流れを模式的に示す図である。
【０２２５】
図２２（ａ）の点線に示すように、制御部４０１は、３つの硬貨収納部３０２から順次１枚ずつ硬貨を繰り出して、９９９円分の硬貨を予備収納部３０３に収納させる。予備収納部３０３に収納されるべきでない硬貨が繰り出された場合、制御部４０１は、図２２（ａ）の破線に示すように、当該硬貨を硬貨受け入れ部３０１に搬送する。さらに、制御部４０１は、硬貨受け入れ部３０１に搬送した硬貨を、硬貨受け入れ部３０１から繰り出して、対応する金種の硬貨収納部３０２に送る。こうして、予備収納部３０３に、９９９円分の硬貨が収納される。
【０２２６】
図２２（ｂ）は、硬貨の出金処理時における硬貨の流れを模式的に示す図である。
【０２２７】
図２２（ｂ）の点線に示すように、制御部４０１は、予備収納部３０３から１枚ずつ硬貨を繰り出して、釣銭額に応じた硬貨を硬貨出金口３２ａに送る。釣銭として払い出されるべきでない硬貨が予備収納部３０３から繰り出された場合、制御部４０１は、図２２（ｂ）の破線に示すように、当該硬貨を硬貨受け入れ部３０１に搬送する。さらに、制御部４０１は、硬貨受け入れ部３０１に搬送した硬貨を、硬貨受け入れ部３０１から繰り出して、対応する金種の硬貨収納部３０２に送る。こうして、釣銭額に応じた硬貨が、硬貨出金口３２ａに払い出される。
【０２２８】
釣銭の払い出しが完了した後、制御部４０１は、図２２（ａ）に示した処理を実行し、９９９円分の硬貨を予備収納部３０３に収納させる。これにより、次の釣銭の払い出しが円滑に行われ得る。
【０２２９】
実施形態４の構成によれば、硬貨収納部３０２（第１収納部）の数を硬貨の金種の数（６つ）よりも少ない数（３つ）に削減できるため、装置の小型化を図ることができる。また、出金動作に先立って出金用の硬貨が予備収納部３０３（第２収納部）に収納されるため、出金動作時に、予備収納部３０３から必要な硬貨を円滑に出金することができる。よって、本実施形態４に係る釣銭機においても、円滑な出金動作を維持しつつ、装置の小型化を図ることができる。
【０２３０】
なお、本実施形態４においても、上記実施形態３と同様、複数金種が割り当てられる硬貨収納部を１つだけ設け、その他の硬貨収納部に単一金種の硬貨を収納させてもよい。この場合、予備収納部３０３には、複数金種が割り当たられた硬貨収納部の金種の硬貨が収納されればよい。たとえば、１つの硬貨収納部に５円、５０円および５００円の金種が割り当てられる場合、予備収納部３０３には、５円、５０円および５００円の各硬貨を１枚ずつ収納させればよい。この他、上記各変更例の構成も、適宜、実施形態４に適用され得る。
【０２３１】
＜その他の変更例＞
上記実施形態および変更例では、硬貨入出金ユニット１２、３０に本発明を適用した場合の構成が示されたが、紙幣入出金ユニット１１、４０に本発明が適用されてもよい。この場合、紙幣入出金ユニット１１、４０には、入出金される紙幣の金種の数より少ない数だけ紙幣収納部が配置され、所定の条件で紙幣を収納する出金用の紙幣収納部が別途設けられる。たとえば、１万円、５千円、千円の３種の金種を収納する第１紙幣収納部と、９９０００円分の出金用の紙幣を収納する第２紙幣収納部が紙幣入出金ユニット１１、４０に設けられる。この場合、第２紙幣収納部に適用される条件は、９９０００円でなくてもよく、５９０００円や１９０００円等、１度に出金されると想定され得る紙幣の金額に応じて設定されればよい。
【０２３２】
また、対象となる通貨は、日本円に限られるものではなく、米国ドルやユーロ、ポンド等、他国の通貨であってもよい。
【０２３３】
また、本発明が適用される貨幣処理装置は、実施形態１〜３に示した貨幣入出金機や実施形態４に示した釣銭機に限られるものではなく、他の種類の出金機や入出金機であってもよい。また、必ずしも、硬貨と紙幣の両方を処理する装置でなくてもよく、硬貨と紙幣の何れか一方のみを処理する装置であってもよい。
【０２３４】
また、上記実施形態１、２、４では、９９９円分の出金用の硬貨が第２収納部（一時保留部１０３等）に収納されたが、装置が取り扱う金種が１０円、５０円、１００円、５００円である場合は、９９０円分の出金用の硬貨が第２収納部（一時保留部１０３等）に収納されればよい。この点は、実施形態３においても同様である。すなわち、第１収納部に割り当てられる金種および第２収納部に適用される条件は、装置が取り扱う金種に応じて、適宜、変更され得る。
【０２３５】
なお、実施形態２、３、４のように、第２収納部が出金用の硬貨のみを収納するための専用の収納部である場合、第２収納部の容積は第１収納部の容積よりも数段小さくてもよい。特に、実施形態３のように、５円、５０円、５００円の各硬貨を１枚ずつしか第２収納部（硬貨収納部１２０）に収納させない場合、第２収納部は顕著に小さくしてもよい。これにより、さらに装置の小型化を図ることができる。
【０２３６】
また、第１収納部（硬貨収納部１０２等）の配置数は、上記実施形態１〜４に示したものに限定されるものではなく、他の配置数であってもよい。また、第１収納部（硬貨収納部１０２等）の形状および大きさや、第１収納部（硬貨収納部１０２等）および第２収納部（一時保留部１０３等）のレイアウトは、適宜、調整され得る。
【０２３７】
この他、本発明の実施形態は、特許請求の範囲に記載の範囲で適宜変更可能である。
【符号の説明】
【０２３８】
１  貨幣入出金機（貨幣処理装置）
１３、３１  硬貨入金口（入金部）
１６ａ、１６ｂ  硬貨出金ボックス（出金部）
３２  出金部
３２ａ  硬貨出金口（出金部）
１０１、３０１  硬貨受け入れ部（入金部）
１０２、３０２  硬貨収納部（第１収納部）
１０３  一時保留部（第２収納部）
１０７  搬送部
１０８、３０９、３１０  識別部
１０９、１１０、１１１、１１２  分岐機構（分岐部）
１１３  硬貨回収部（回収部）
１２０  硬貨収納部（第２収納部）
２０１、４０１  制御部
３０３  予備収納部（第２収納部）
【図１】
2020091688.tif 000003
【図２】
2020091688.tif 000004
【図３】
2020091688.tif 000005
【図４】
2020091688.tif 000006
【図５】
2020091688.tif 000007
【図６】
2020091688.tif 000008
【図７】
2020091688.tif 000009
【図８】
2020091688.tif 000010
【図９】
2020091688.tif 000011
【図１０】
2020091688.tif 000012
【図１１】
2020091688.tif 000013
【図１２】
2020091688.tif 000014
【図１３】
2020091688.tif 000015
【図１４】
2020091688.tif 000016
【図１５】
2020091688.tif 000017
【図１６】
2020091688.tif 000018
【図１７】
2020091688.tif 000019
【図１８】
2020091688.tif 000020
【図１９】
2020091688.tif 000021
【図２０】
2020091688.tif 000022
【図２１】
2020091688.tif 000023
【図２２】
2020091688.tif 000024